(57)【要約】  本発明の中央処理装置および中央処理方法は、看護および介護のうちの少なくとも一方を含む看介護を実施した看介護の内容を、前記実施した看介護の種類および前記被監視者に対応付けて看介護記録として記憶し、この記憶された看介護記録に基づいて、所定の期間について、前記看介護の種類および被監視者に対応する看介護の内容の積算を求め、前記求めた積算結果を、所定の表示装置に表示させる。そして、本発明の被監視者監視システムは、この中央処理装置を含む。
2018003517.tif 000002
【特許請求の範囲】
【請求項１】
監視対象である被監視者に対応して設けられ、前記被監視者に関わる所定のイベントを検知するセンサ装置、前記センサ装置と通信可能に接続され、前記センサ装置で検知されて前記センサ装置から受信したイベントを管理する中央処理装置、および、前記中央処理装置と通信可能に接続され前記中央処理装置を介して前記センサ装置で検知されたイベントの通知を受ける端末装置を備え、前記被監視者を監視するための被監視者監視システムの前記中央処理装置であって、
看護および介護のうちの少なくとも一方を含む看介護を実施した看介護の内容を、前記実施した看介護の種類および前記被監視者に対応付けて看介護記録として記憶する看介護記録情報記憶部と、
前記看介護記録情報記憶部に記憶された看介護記録に基づいて、所定の期間について、前記看介護の種類および前記被監視者に対応する看介護の内容の積算を求め、前記求めた積算結果を、所定の表示装置に表示させる看介護記録処理部とを備える、
中央処理装置。
【請求項２】
前記看介護の目標を、前記看介護の種類および前記被監視者に対応付けて看介護目標情報として記憶する看介護目標情報記憶部をさらに備え、
前記看介護記録処理部は、前記看介護目標情報記憶部に記憶された看介護目標情報から、前記求めた積算結果に対応する前記看介護の種類および前記被監視者にさらに対応する看介護の目標を取り出し、前記求めた積算結果を、前記取り出した看介護の目標と関連するように、前記所定の表示装置に表示させる、
請求項１に記載の中央処理装置。
【請求項３】
前記看介護の種類に対応して作成され、前記看介護の内容を前記看介護記録として入力するための記録書式を記憶する書式情報記憶部をさらに備え、
前記看介護記録処理部は、前記書式情報記憶部に記憶され選択可能な記録書式の種類を表示して前記記録書式の種類を選択するための書式選択画面に、前記求めた積算結果を表示させることによって、前記求めた積算結果を、前記所定の表示装置に表示させる、
請求項１または請求項２に記載の中央処理装置。
【請求項４】
前記看介護の目標を、前記看介護の種類および前記被監視者に対応付けて看介護目標情報として記憶する看介護目標情報記憶部をさらに備え、
前記看介護記録処理部は、前記看介護目標情報記憶部に記憶された看介護目標情報から、前記求めた積算結果に対応する前記看介護の種類および前記被監視者にさらに対応する看介護の目標を取り出し、前記取り出した看介護の目標に対する前記求めた積算結果の達成度合いを求め、前記所定の期間における積算開始時点から当該積算時点までの経過時間を求め、前記求めた積算結果の達成度合いおよび経過時間が所定の条件を満たす場合に、警告を、前記所定の表示装置にさらに表示させる、
請求項１に記載の中央処理装置。
【請求項５】
前記看介護の種類に対応して作成され、前記看介護の内容を前記看介護記録として入力するための記録書式を記憶する書式情報記憶部をさらに備え、
前記看介護記録処理部は、前記警告するための警告画面を前記所定の表示装置に表示させることによって、前記警告を、前記所定の表示装置にさらに表示させ、
前記警告画面は、前記所定の表示装置に表示させた警告に対して所定の対応を実施する意思が前記所定の表示装置を取り扱う監視者にある旨の入力を受け付けるための入力ボタンを含み、
前記看介護記録処理部は、前記所定の表示装置で前記入力ボタンの入力操作を受け付けた場合に、前記書式情報記憶部から、前記警告に応じた看介護の種類に対応する記録書式を取り出し、前記取り出した記録書式を、前記所定の表示装置に表示させる、
請求項４に記載の中央処理装置。
【請求項６】
前記看介護記録処理部は、前記看介護記録の表示を要求された場合に、前記看介護記録情報記憶部に記憶された看介護記録に基づいて、所定の期間について、前記看介護の種類および前記被監視者に対応する看介護の内容の積算を求め、前記求めた積算結果を、前記所定の表示装置として前記要求を行った要求元の表示装置に表示させる、
請求項１に記載の中央処理装置。
【請求項７】
前記看介護の目標を、前記看介護の種類および前記被監視者に対応付けて看介護目標情報として記憶する看介護目標情報記憶部をさらに備え、
前記看介護記録処理部は、前記看介護目標情報記憶部に記憶された看介護目標情報から、前記求めた積算結果に対応する前記看介護の種類および前記被監視者にさらに対応する看介護の目標を取り出し、前記求めた積算結果を、前記取り出した看介護の目標と関連するように、前記所定の表示装置として前記要求を行った要求元の表示装置に表示させる、
請求項６に記載の中央処理装置。
【請求項８】
前記看介護の目標を、前記看介護の種類および前記被監視者に対応付けて看介護目標情報として記憶する看介護目標情報記憶部をさらに備え、
前記看介護記録処理部は、前記端末装置が前記被監視者監視システムにログインした場合に、前記看介護記録情報記憶部に記憶された看介護記録に基づいて、所定の期間について、前記看介護の種類および前記被監視者に対応する看介護の内容の積算を求め、前記看介護目標情報記憶部に記憶された看介護目標情報から、前記求めた積算結果に対応する前記看介護の種類および前記被監視者にさらに対応する看介護の目標を取り出し、前記取り出した看介護の目標に対する前記求めた積算結果の達成度合いを求め、前記所定の期間における積算開始時点から前記ログインの時点までの経過時間を求め、前記求めた積算結果の達成度合いおよび経過時間が所定の条件を満たす場合に、警告を、前記所定の表示装置として前記ログインした前記端末装置に表示させる、
請求項１に記載の中央処理装置。
【請求項９】
前記看介護記録処理部は、前記看介護目標情報記憶部に記憶された看介護目標情報から、前記求めた積算結果に対応する前記看介護の種類および前記被監視者にさらに対応する看介護の目標を取り出し、前記取り出した看介護の目標に対する前記求めた積算結果の達成度合いを求め、前記所定の期間における積算開始時点から当該積算時点までの経過時間を求め、前記求めた積算結果の達成度合いおよび経過時間が所定の条件を満たすか否かに応じた互いに異なる表示態様で、前記求めた積算結果を、前記所定の表示装置に表示させる、
請求項２、請求項３および請求項７のいずれか１項に記載の中央処理装置。
【請求項１０】
前記看介護記録処理部は、前記看介護記録情報記憶部に記憶された看介護記録に基づいて、前記求めた積算結果に対応する前記看介護の種類および前記被監視者にさらに対応する看介護の前回の実施時点から、前記求めた積算結果の積算時点までの経過時間を求め、前記求めた経過時間を、前記所定の表示装置にさらに表示させる、
請求項１ないし請求項９のいずれか１項に記載の中央処理装置。
【請求項１１】
前記積算を求める前記看介護の種類は、前記被監視者の水分摂取に対し行われる第１介護、前記被監視者の摂食に対し行われる第２介護、および、前記被監視者の服薬または投薬に対し行われる第３介護のうちの少なくとも１つを含む、
請求項１ないし請求項１０のいずれか１項に記載の中央処理装置。
【請求項１２】
監視対象である被監視者に対応して設けられ、前記被監視者に関わる所定のイベントを検知するセンサ装置、前記センサ装置と通信可能に接続され、前記センサ装置で検知されて前記センサ装置から受信したイベントを管理する中央処理装置、および、前記中央処理装置と通信可能に接続され前記中央処理装置を介して前記センサ装置で検知されたイベントの通知を受ける端末装置を備え、前記被監視者を監視するための被監視者監視システムの中央処理方法であって、
看護および介護のうちの少なくとも一方を含む看介護を実施した看介護の内容を、前記実施した看介護の種類および前記被監視者に対応付けて看介護記録として看介護記録情報記憶部に記憶する記憶工程と、
前記看介護記録情報記憶部に記憶された看介護記録に基づいて、所定の期間について、前記看介護の種類および前記被監視者に対応する看介護の内容の積算を求める積算工程と、
前記積算工程で求めた積算結果を、所定の表示装置に表示させる表示工程とを備える、
中央処理方法。
【請求項１３】
監視対象である被監視者に対応して設けられ、前記被監視者に関わる所定のイベントを検知するセンサ装置、前記センサ装置と通信可能に接続され、前記センサ装置で検知されて前記センサ装置から受信したイベントを管理する中央処理装置、および、前記中央処理装置と通信可能に接続され前記中央処理装置を介して前記センサ装置で検知されたイベントの通知を受ける端末装置を備え、前記被監視者を監視するための被監視者監視システムであって、
前記中央処理装置は、請求項１ないし請求項１１のいずれか１項に記載の中央処理装置である、
被監視者監視システム。
【発明の詳細な説明】
【技術分野】
【０００１】
本発明は、監視すべき監視対象である被監視者を複数の機器を用いて監視する被監視者監視システムの中央処理装置および中央処理方法、ならびに、前記被監視者監視システムに関する。
【背景技術】
【０００２】
我が国（日本）は、戦後の高度経済成長に伴う生活水準の向上、衛生環境の改善および医療水準の向上等によって、高齢化社会、より詳しくは、総人口に対する６５歳以上の人口の割合である高齢化率が２１％を超える超高齢化社会になっている。２０１３年９月の統計では、高齢者人口は、約３１８６万人であり、その高齢化率は、２５．０％であり、４人に１人が高齢者になっている。そして、２０３５年には、高齢者人口が約３７４１万人となり、３人に１人が高齢者になるという予測もある（日本国総務省統計局）。このような高齢化社会では、病気や怪我や高齢等による看護や介護を必要とする要看護者や要介護者（要看介護者）は、高齢化社会ではない通常の社会で生じる要看介護者よりもその増加が見込まれる。そして、我が国は、例えば２０１３年の合計特殊出生率が１．４３という少子化社会でもある。そのため、高齢な要看介護者を高齢の家族（配偶者、子、兄弟）が介護する老老介護も起きて来ている。【０００３】
要看介護者は、病院や、老人福祉施設（日本の法令では老人短期入所施設、養護老人ホームおよび特別養護老人ホーム等）等の施設に入所し、その看護や介護を受ける。このような施設では、要看介護者が、例えばベッドからの転落や歩行中の転倒等によって怪我を負ったり、ベッドから抜け出して徘徊したりするなどの事態が生じ得る。このような事態に対し、可及的速やかに対応する必要がある。また、このような事態を放置しておくとさらに重大な事態に発展してしまう可能性もある。このため、前記施設では、看護師や介護士（看介護者）は、定期的に巡視することによってその安否や様子を確認している。そして、これらの結果を、看護師や介護士等は、看護記録や介護記録（看介護記録）として記録する。【０００４】
しかしながら、要看介護者の増加数に対し看介護者の増加数が追い付かずに、看護業界や介護業界では、慢性的に人手不足になっている。さらに、日勤の時間帯に較べ、準夜勤や夜勤の時間帯では、看介護者の人数が減るため、一人当たりの業務負荷が増大するので、前記業務負荷の軽減が要請される。また、前記老老介護の事態は、前記施設でも例外ではなく、高齢の要看介護者を高齢の看介護者がケアすることもしばしば見られる。一般に高齢になると体力が衰えるため、健康であっても若いケア者に比しケアの負担が重くなり、また、その動きや判断も遅くなる。【０００５】
このような人手不足や看介護者の負担を軽減するため、看護業務や介護業務を補完する技術が求められている。このため、近年では、要看介護者の、監視すべき監視対象である被監視者を監視（モニタ）する被監視者監視技術が研究、開発されている。【０００６】
このような技術の一つとして、例えば特許文献１にナースコールシステムが提案されている。この特許文献１に開示されたナースコールシステムでは、被看護人は、被看護人識別ＩＤを記憶した無線タグを備えるリストバンドを装着しており、電子カルテに記録を行う場合、医療・看護従事者は、まず、その携帯する携帯情報端末を前記被看護人の前記リストバンドに近づけることによって前記リストバンドから被看護人識別ＩＤを読み出し、次に、前記携帯情報端末に表示された処置内容の候補のリストから処置内容を選択する。これによって医療・看護従事者識別ＩＤ、処置内容および被看護人識別ＩＤが、前記携帯情報端末から制御機へ送信され、制御機の制御機記憶部に内蔵されている電子カルテに、前記医療・看護従事者識別ＩＤの医療・看護従事者が前記被看護人識別ＩＤを有する被看護人に前記処置内容に記された処置を行なったことが、データ受信時刻とともに記録される（例えば特許文献１の［０１５７］段落ないし［０１６６］段落参照）。【０００７】
ところで、前記特許文献１に開示されたナースコールシステムでは、処置内容および被看護人識別ＩＤが、電子カルテに記憶でき、便利である。ここで、看介護（前記特許文献１では処置内容が相当する）の種類によって、被監視者に適した度合いがある。例えば、１日当たりの水分摂取量は、不足しても、摂り過ぎても、不都合となる。さらに、１日当たりの水分摂取量における適量は、例えば年齢、体格および体調等に応じて異なるため、被監視者ごとに異なる。この他、１日当たり摂食量（容量、重量、カロリー）や１日当たりまたは複数日当たりの服薬量等も、不足しても、摂り過ぎても、不都合となる。前記特許文献１に開示されたナースコールシステムでは、前記処置内容が電子カルテに記憶されるだけであるので、前記処置内容が、被監視者に適した度合いであるか否か分からない。
【先行技術文献】
【特許文献】
【０００８】
【特許文献１】特開２０１４−８７５２４号公報
【発明の概要】
【０００９】
本発明は、上述の事情に鑑みて為された発明であり、その目的は、看介護の内容が被監視者に適した度合いであるか否かの判断を支援できる被監視者監視システムの中央処理装置および中央処理方法ならびに被監視者監視システムを提供することである。
【００１０】
本発明にかかる中央処理装置および中央処理方法は、被監視者に対応して設けられたセンサ装置で検知された、被監視者に関わるイベントを管理して端末装置に通知するものであって、看護および介護のうちの少なくとも一方を含む看介護を実施した看介護の内容を、その実施した看介護の種類および被監視者に対応付けて看介護記録として記憶し、この記憶された看介護記録に基づいて、所定の期間について、看介護の種類および被監視者に対応する看介護の内容の積算を求め、この求めた積算結果を、所定の表示装置に表示させる。そして、本発明にかかる被監視者監視システムは、この中央処理装置を含む。
【００１１】
上記並びにその他の本発明の目的、特徴及び利点は、以下の詳細な記載と添付図面から明らかになるであろう。
【図面の簡単な説明】
【００１２】
【図１】実施形態における被監視者監視システムの構成を示す図である。
【図２】前記被監視者監視システムにおける管理サーバ装置の構成を示す図である。
【図３】前記管理サーバ装置に記憶される監視情報テーブルの構成を示す図である。
【図４】前記管理サーバ装置に記憶される装置間情報テーブルの構成を示す図である。
【図５】前記管理サーバ装置に記憶されるセンサ情報テーブルの構成を示す図である。
【図６】前記管理サーバ装置に記憶される看介護記録情報テーブルの構成を示す図である。
【図７】前記管理サーバ装置に記憶される看介護目標情報テーブルの構成を示す図である。
【図８】前記被監視者監視システムにおける携帯端末装置の構成を示す図である。
【図９】前記携帯端末装置に表示される待受け画面の一例を示す図である。
【図１０】前記携帯端末装置に表示される監視情報画面の一例を示す図である。
【図１１】前記携帯端末装置に表示されるナースコール受付画面の一例を示す図である。
【図１２】前記固定端末装置に表示させる目標設定画面の一例を示す図である。
【図１３】前記被監視者監視システムにおける看介護記録の動作を示すシーケンス図である。
【図１４】前記被監視者監視システムにおける第１モードでの状況表示の動作を示すフローチャートである。
【図１５】前記被監視者監視システムにおける第２モードでの状況表示の動作を示すフローチャートである。
【図１６】前記被監視者監視システムにおける第３モードでの状況表示の動作を示すフローチャートである。
【図１７】前記被監視者監視システムにおける第４モードでの状況表示の動作を示すフローチャートである。
【図１８】前記携帯端末装置に表示される対象者選択画面の一例を示す図である。
【図１９】前記携帯端末装置に表示されるサブメニュー画面の一例を示す図である。
【図２０】前記携帯端末装置に表示される書式選択画面の一例を示す図である。
【図２１】前記携帯端末装置に表示される食事ケア用記録書式画面の一例を示す図である。
【図２２】前記携帯端末装置に表示される水分ケア用記録書式画面の一例を示す図である。
【図２３】前記携帯端末装置に表示される服薬ケア用記録書式画面（投薬ケア用記録書式画面）の一例を示す図である。
【図２４】前記携帯端末装置に表示される警告画面の一例を示す図である。
【図２５】前記固定端末装置に表示された履歴表示画面の一例を示す図である。
【発明を実施するための形態】
【００１３】
以下、本発明にかかる実施の一形態を図面に基づいて説明する。なお、各図において同一の符号を付した構成は、同一の構成であることを示し、適宜、その説明を省略する。本明細書において、総称する場合には添え字を省略した参照符号で示し、個別の構成を指す場合には添え字を付した参照符号で示す。
【００１４】
実施形態における被監視者監視システムは、監視すべき（見守るべき）監視対象（見守り対象）である被監視者（見守り対象者）Ｏｂを監視するものであり、被監視者Ｏｂに対応して設けられ、被監視者Ｏｂに関わる、予め設定された所定のイベント（事象）を検知するセンサ装置、前記センサ装置と通信可能に接続され、前記センサ装置で検知されて前記センサ装置から受信したイベントを管理する中央処理装置、および、前記中央処理装置と通信可能に接続され前記中央処理装置を介して前記センサ装置で検知されたイベントの通知を受ける端末装置を備える。前記中央処理装置は、看護および介護のうちの少なくとも一方を含む看介護を実施した看介護の内容を、前記実施した看介護の種類および前記被監視者に対応付けて看介護記録として記憶する看介護記録情報記憶部と、前記看介護記録情報記憶部に記憶された看介護記録に基づいて、所定の期間について、前記看介護の種類および前記被監視者に対応する看介護の内容の積算を求め、前記求めた積算結果を、所定の表示装置に表示させる看介護記録処理部とを備える。前記端末装置は、１種類の装置であって良いが、本実施形態態では、前記端末装置は、固定端末装置と携帯端末装置との２種類の装置である。これら固定端末装置と携帯端末装置との主な相違は、固定端末装置が固定的に運用される一方、携帯端末装置が例えば看護師や介護士等の監視者（ユーザ）に携行されて運用される点であり、これら固定端末装置と携帯端末装置とは、略同様である。このような被監視者監視システムについて、以下、より具体的に説明する。
【００１５】
まず、本実施形態における被監視者監視システムの構成について説明する。
【００１６】
（構成）
図１は、実施形態における被監視者監視システムの構成を示す図である。図２は、実施形態の被監視者監視システムにおける管理サーバ装置の構成を示す図である。図３は、前記管理サーバ装置に記憶される監視情報テーブルの構成を示す図である。図４は、前記管理サーバ装置に記憶される装置間情報テーブルの構成を示す図である。図４Ａは、通知先対応関係情報テーブルを示し、図４Ｂは、通信アドレス対応関係情報テーブルを示す。図５は、前記管理サーバ装置に記憶されるセンサ情報テーブルの構成を示す図である。図６は、前記管理サーバ装置に記憶される看介護記録情報テーブルの構成を示す図である。図７は、前記管理サーバ装置に記憶される看介護目標情報テーブルの構成を示す図である。図８は、実施形態の被監視者監視システムにおける携帯端末装置の構成を示す図である。
【００１７】
より具体的には、被監視者監視システムＭＳは、例えば、図１に示すように、１または複数のセンサ装置ＳＵ（ＳＵ−１〜ＳＵ−４）と、管理サーバ装置ＳＶと、固定端末装置ＳＰと、１または複数の携帯端末装置ＴＡ（ＴＡ−１、ＴＡ−２）と、構内交換機（ＰＢＸ、Ｐｒｉｖａｔｅ  ｂｒａｎｃｈ  ｅｘｃｈａｎｇｅ）ＣＸとを備え、これらは、有線や無線で、ＬＡＮ（Ｌｏｃａｌ  Ａｒｅａ  Ｎｅｔｗｏｒｋ）等の網（ネットワーク、通信回線）ＮＷを介して通信可能に接続される。ネットワークＮＷは、通信信号を中継する例えばリピーター、ブリッジおよびルーター等の中継機が備えられても良い。図１に示す例では、これら複数のセンサ装置ＳＵ−１〜ＳＵ−４、管理サーバ装置ＳＶ、固定端末装置ＳＰ、複数の携帯端末装置ＴＡ−１、ＴＡ−２および構内交換機ＣＸは、Ｌ２スイッチの集線装置（ハブ、ＨＵＢ）ＬＳおよびアクセスポイントＡＰを含む有線および無線の混在したＬＡＮ（例えばＩＥＥＥ８０２．１１規格に従ったＬＡＮ等）ＮＷによって互いに通信可能に接続されている。より詳しくは、複数のセンサ装置ＳＵ−１〜ＳＵ−４、管理サーバ装置ＳＶ、固定端末装置ＳＰおよび構内交換機ＣＸは、集線装置ＬＳに接続され、複数の携帯端末装置ＴＡ−１、ＴＡ−２は、アクセスポイントＡＰを介して集線装置ＬＳに接続されている。そして、ネットワークＮＷは、ＴＣＰ（Ｔｒａｎｓｍｉｓｓｉｏｎ  ｃｏｎｔｒｏｌ  ｐｒｏｔｏｃｏｌ）およびＩＰ（Ｉｎｔｅｒｎｅｔ  ｐｒｏｔｏｃｏｌ）等のインターネットプロトコル群が用いられることによっていわゆるイントラネットを構成する。
【００１８】
構内交換機（回線切換機）ＣＸは、ネットワークＮＷに接続され、携帯端末装置ＴＡ同士における発信、着信および通話等の内線電話の制御を行って前記携帯端末装置ＴＡ同士の内線電話を実施し、そして、例えば固定電話網や携帯電話網等の公衆電話網ＰＮを介して例えば固定電話機や携帯電話機等の外線電話機ＴＬに接続され、外線電話機ＴＬと携帯端末装置ＴＡとの間における発信、着信および通話等の外線電話の制御を行って外線電話機ＴＬと携帯端末装置ＴＡとの間における外線電話を実施するものである。構内交換機ＣＸは、例えば、デジタル交換機や、ＩＰ−ＰＢＸ（Ｉｎｔｅｒｎｅｔ  Ｐｒｏｔｏｃｏｌ  Ｐｒｉｖａｔｅ  Ｂｒａｎｃｈ  ｅＸｃｈａｎｇｅ）等である。
【００１９】
被監視者監視システムＭＳは、被監視者Ｏｂに応じて適宜な場所に配設される。被監視者（見守り対象者）Ｏｂは、例えば、病気や怪我等によって看護を必要とする者や、身体能力の低下等によって介護を必要とする者や、一人暮らしの独居者等である。特に、早期発見と早期対処とを可能にする観点から、被監視者Ｏｂは、例えば異常状態等の所定の不都合な事象がその者に生じた場合にその発見を必要としている者であることが好ましい。このため、被監視者監視システムＭＳは、被監視者Ｏｂの種類に応じて、病院、老人福祉施設および住戸等の建物に好適に配設される。図１に示す例では、被監視者監視システムＭＳは、複数の被監視者Ｏｂが入居する複数の居室ＲＭや、ナースステーション等の複数の部屋を備える介護施設の建物に配設されている。
【００２０】
センサ装置ＳＵは、ネットワークＮＷを介して他の装置ＳＶ、ＳＰ、ＴＡと通信する通信機能等を備え、被監視者Ｏｂに関わる所定のイベント（事象）を検知して管理サーバ装置ＳＶへ通知する装置である。前記所定のイベントは、好適には対処が必要な所定のイベントであり、例えば、本実施形態では、被監視者Ｏｂにおける予め設定された所定の行動およびナースコール（ＮＣ）である。より具体的には、センサ装置ＳＵは、例えば、ネットワークＮＷを介して他の装置ＳＶ、ＳＰ、ＴＡと通信するための通信インターフェース回路（例えばＬＡＮカード等）、被監視者Ｏｂを上方（好ましくは直上（例えば天井））から撮像して画像を生成する画像センサ（例えば可視カメラや近赤外カメラ等）、前記画像センサの出力（画像）に基づいて被監視者Ｏｂにおける予め設定された所定の行動を前記所定のイベントの一例として検知して管理サーバ装置ＳＶへ通知する行動検知処理回路、ナースコールを前記所定のイベントの他の一例として受け付けて管理サーバ装置ＳＶへ通知するナースコール処理回路、端末装置ＳＰ、ＴＡ等との間で音声通話を行う通話処理回路、前記画像センサの出力（画像（静止画および動画を含む））を所定の他の装置ＳＶ、ＳＰ、ＴＡへ送信する画像送信処理回路、これらを制御する制御回路、および、例えば記憶素子等の、その周辺回路を備えて構成される。
【００２１】
前記所定の行動は、例えば、被監視者Ｏｂが寝具に入った入床、被監視者Ｏｂが起きた起床、被監視者Ｏｂが寝具から離れた離床、および、被監視者Ｏｂが倒れた転倒の４つの行動である。なお、前記転倒には、被監視者Ｏｂが寝具から落ちた転落が含まれて良く、あるいは、前記転倒とは別途に、前記所定の行動には、前記転落が含まれて良い。前記行動検知処理回路は、例えば、前記画像センサで撮像した画像（対象画像）に基づいて被監視者Ｏｂの頭部を検出し、この検出した被監視者Ｏｂの頭部における大きさの時間変化に基づいて被監視者Ｏｂの起床および転倒を検知し、前記画像センサで撮像した対象画像に基づいて被監視者Ｏｂを検出し、この検出した被監視者Ｏｂと寝具との重なり具合（重なり領域の大きさ）に基づいて被監視者Ｏｂの離床および入床を検知する。より詳しくは、まず、寝具ＢＤの所在領域、第１閾値Ｔｈ１および第２閾値Ｔｈ２が記憶される。前記第１閾値Ｔｈ１は、寝具ＢＤの所在領域内における横臥姿勢の頭部の大きさと座位姿勢の頭部の大きさとを識別するための値である。前記第２閾値Ｔｈ２は、寝具ＢＤの所在領域を除く居室ＲＭ内における横臥姿勢の頭部の大きさであるか否かを識別するための値である。前記行動検知処理回路は、対象画像から例えば背景差分法やフレーム差分法によって被監視者Ｏｂの人物の領域として動体領域を抽出する。次に、前記行動検知処理回路は、この抽出した動体領域から、例えば円形や楕円形のハフ変換によって、また例えば予め用意された頭部のモデルを用いたパターンマッチングによって、また例えば頭部検出用に学習したニューラルネットワークによって、被監視者Ｏｂの頭部領域を抽出する。そして、前記行動検知処理回路は、この抽出した頭部の位置および大きさから起床および転倒を検知する。例えば、前記行動検知処理回路は、この抽出した頭部の位置が寝具ＢＤの所在領域内であって、前記抽出した頭部の大きさが前記第１閾値Ｔｈ１を用いることによって横臥姿勢の大きさから座位姿勢の大きさへ時間変化した場合には、起床と判定し、前記起床を検知する。例えば、前記行動検知処理回路は、この抽出した頭部の位置が寝具ＢＤの所在領域を除く居室ＲＭ内であって、前記抽出した頭部の大きさが前記第２閾値Ｔｈ２を用いることによって或る大きさから横臥姿勢の大きさへ時間変化した場合には、転倒と判定し、前記転倒を検知する。そして、前記行動検知処理回路は、対象画像から上述のように抽出した動体領域と寝具ＢＤの所在領域とが重なった重なり領域を検出し、この重なり領域の時間変化から離床および入床を検知する。例えば、前記行動検知処理回路は、この検出した重なり領域が存在する状態から、前記重なり領域が存在しなくなった状態へ時間変化した場合には、離床と判定し、前記離床を検知する。例えば、前記行動検知処理回路は、この検出した重なり領域が存在しない状態から、前記重なり領域の存在の検出を介して、前記重なり領域全体が寝具ＢＤの所在領域内で重なった状態（すなわち、前記動体領域が前記寝具ＢＤの所在領域内に完全に包含された状態）へ時間変化した場合には、入床と判定し、前記入床を検知する。
【００２２】
前記所定のイベントは、第１イベント通知通信信号によってセンサ装置ＳＵから管理サーバ装置ＳＶへ通知される。この第１イベント通知通信信号には、自機のセンサＩＤおよび前記イベントの内容を表すイベント情報が収容される。前記センサＩＤ（センサ識別子）は、センサ装置ＳＵを特定し識別するための識別子である。前記イベント情報は、本実施形態では、入床、起床、離床、転倒およびナースコールのうちの１または複数である。第１イベント通知通信信号には、前記画像センサで撮像した画像が収容されても良い。特に、前記イベント情報が入床、起床、離床および転倒のうちのいずれかである場合には、前記所定の行動の検知に用いられた画像（前記検知が複数の画像によって実施された場合には例えば最後の画像）が収容されることが好ましい。前記画像は、静止画および動画のうちの少なくとも一方であって良く、本実施形態では、後述するように、まず、静止画が通知され、ユーザの要求に応じて動画が配信される。なお、まず、動画が配信されても良く、また、静止画および動画が送信され、画面分割で静止画および動画が端末装置ＳＰ、ＴＡに表示されても良い。
【００２３】
図１には、一例として、４個の第１ないし第４センサ装置ＳＵ−１〜ＳＵ−４が示されており、第１センサ装置ＳＵ−１は、被監視者Ｏｂの一人であるＡさんＯｂ−１の居室ＲＭ−１（不図示）に配設され、第２センサ装置ＳＵ−２は、被監視者Ｏｂの一人であるＢさんＯｂ−２の居室ＲＭ−２（不図示）に配設され、第３センサ装置ＳＵ−３は、被監視者Ｏｂの一人であるＣさんＯｂ−３の居室ＲＭ−３（不図示）に配設され、そして、第４センサ装置ＳＵ−４は、被監視者Ｏｂの一人であるＤさんＯｂ−４の居室ＲＭ−４（不図示）に配設されている。
【００２４】
管理サーバ装置ＳＶは、ネットワークＮＷを介して他の装置ＳＵ、ＴＡ、ＳＰと通信する通信機能を備え、センサ装置ＳＵから前記所定のイベントの通知を受けると、被監視者Ｏｂに対する監視に関する情報（監視情報（本実施形態では例えば前記所定のイベント（センサ装置ＳＵで検知した所定の行動の種類やセンサ装置ＳＵで受け付けたナースコール）、被監視者Ｏｂの画像（静止画および動画）、および、前記通知を受けた時刻等））を管理し、前記所定のイベントを所定の端末装置ＳＰ、ＴＡへ通知（再通知、再報知、送信）し、クライアント（本実施形態では端末装置ＳＰ、ＴＡ等）の要求に応じたデータを前記クライアントに提供し、被監視者監視システムＭＳ全体を管理する装置（中央処理装置の一例）である。本実施形態では、管理サーバ装置ＳＶは、看護および介護のうちの少なくとも一方を含む看介護の内容の記録である看介護記録に関する所定の情報処理を実行する。このような管理サーバ装置ＳＶは、例えば、図２に示すように、サーバ側通信インターフェース部（ＳＶ通信ＩＦ部）２１と、サーバ側制御処理部（ＳＶ制御処理部）２２と、サーバ側記憶部（ＳＶ記憶部）２３とを備える。
【００２５】
ＳＶ通信ＩＦ部２１は、ＳＶ制御処理部２２に接続され、ＳＶ制御処理部２２の制御に従って通信を行うための通信回路である。ＳＶ通信ＩＦ部２１は、ＳＶ制御処理部２２から入力された転送すべきデータを収容した通信信号を、この被監視者監視システムＭＳのネットワークＮＷで用いられる通信プロトコルに従って生成し、この生成した通信信号をネットワークＮＷを介して他の装置ＳＶ、ＳＰ、ＴＡへ送信する。ＳＶ通信ＩＦ部２１は、ネットワークＮＷを介して他の装置ＳＶ、ＳＰ、ＴＡから通信信号を受信し、この受信した通信信号からデータを取り出し、この取り出したデータをＳＶ制御処理部２２が処理可能な形式のデータに変換してＳＶ制御処理部２２へ出力する。ＳＶ通信ＩＦ部２１は、例えば、ＩＥＥＥ８０２．１１規格等に従った通信インターフェース回路を備えて構成される。
【００２６】
ＳＶ記憶部２３は、ＳＶ制御処理部２２に接続され、ＳＶ制御処理部２２の制御に従って、各種の所定のプログラムおよび各種の所定のデータを記憶する回路である。前記各種の所定のプログラムには、例えば、管理サーバ装置ＳＶの各部を当該各部の機能に応じてそれぞれ制御するＳＶ制御プログラムや、被監視者Ｏｂに対する監視に関する所定の情報処理を実行するＳＶ監視処理プログラムや、看護および介護のうちの少なくとも一方を含む看介護の内容の記録である看介護記録に関する所定の情報処理を実行するＳＶ看介護記録処理プログラムや、年月日時分を計時する時計プログラム等の制御処理プログラムが含まれる。前記各種の所定のデータには、自機の、管理サーバ装置ＳＶを特定し管理サーバ装置ＳＶを識別するための識別子であるサーバ識別子（サーバＩＤ）や、被監視者Ｏｂの前記監視情報や、前記所定のイベントの通知先等の装置ＳＵ、ＳＰ、ＴＡ間の情報を表す装置間情報や、センサ装置ＳＵに関するセンサ情報や、前記記録書式に関する書式情報や、看介護記録に関する看介護記録情報や、看介護の目標に関する看介護目標情報等の各プログラムを実行する上で必要なデータ等が含まれる。ＳＶ記憶部２３は、例えば不揮発性の記憶素子であるＲＯＭ（Ｒｅａｄ  Ｏｎｌｙ  Ｍｅｍｏｒｙ）や書き換え可能な不揮発性の記憶素子であるＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等を備える。ＳＶ記憶部２３は、前記所定のプログラムの実行中に生じるデータ等を記憶するいわゆるＳＶ制御処理部２２のワーキングメモリとなるＲＡＭ（Ｒａｎｄｏｍ  Ａｃｃｅｓｓ  Ｍｅｍｏｒｙ）等を含む。そして、これら監視情報、装置間情報、センサ情報、書式情報、看介護記録情報および看介護目標情報それぞれを記憶するために、ＳＶ記憶部２３は、サーバ側監視情報記憶部（ＳＶ監視情報記憶部）２３１、装置間情報記憶部２３２、サーバ側センサ情報記憶部（ＳＶセンサ情報記憶部）２３３、書式情報記憶部２３４、看介護記録情報記憶部２３５および看介護目標情報記憶部２３６を機能的に備える。
【００２７】
ＳＶ監視情報記憶部２３１は、各装置ＳＵ、ＳＰ、ＴＡそれぞれとの間で送受信した被監視者Ｏｂの監視情報を記憶するものである。より具体的には、ＳＶ監視情報記憶部２３１には、本実施形態では、前記監視情報として、第１イベント通知通信信号等の通信信号に収容された各情報に基づいて、センサＩＤ、イベント情報（事象情報、本実施形態では入床、起床、離床、転倒およびナースコール）、受信時刻、対象画像（静止画および動画）および対処の有無が互いに対応付けて記憶される。
【００２８】
この監視情報は、本実施形態では、テーブル形式でＳＶ監視情報記憶部２３１に記憶されている。この監視情報を登録するサーバ側監視情報テーブル（ＳＶ監視情報テーブル）ＭＴ−ＳＶは、例えば、図３に示すように、各装置ＳＵ、ＳＰ、ＴＡから受信した通信信号に収容されたセンサＩＤを登録するセンサＩＤフィールド２３１１と、前記受信した通信信号に収容されたイベント情報を登録するイベントフィールド（事象フィールド）２３１２と、前記受信した通信信号の受信時刻を登録する受信時刻フィールド２３１３と、前記受信した通信信号に収容された前記静止画を登録する静止画フィールド２３１４と、ライブ動画の取得先として、前記受信した通信信号に収容されたセンサＩＤに対応するセンサ装置ＳＵの通信アドレス（例えばＩＰアドレス等）を登録する動画フィールド２３１５と、前記受信した通信信号に収容されたイベント情報に対する対応の受付の有無を登録する対応フィールド２３１６とを備え、前記受信した通信信号ごと（各イベントごと）にレコードを備える。静止画フィールド２３１４には、例えば、静止画の画像データが登録されて良く、また例えば、静止画の画像データのファイル名が登録されて良い。対応フィールド２３１６には、後述するように、前記受信した通信信号に収容されたイベント情報に対する対処（対応、処置、措置）する意思がある旨（“対応する”）を端末装置ＳＰ、ＴＡで受け付けたか否かを表すフラグ（対応フラグ）が登録される。例えば、本実施形態では、対応フィールド２３１６には、前記受信した通信信号に収容されたイベント情報（イベントフィールド２３１２に登録されたイベント情報）に対処する意思がある旨（“対応する”）を端末装置ＳＰ、ＴＡで受け付けたことを意味する対応フラグ「１」、あるいは、前記受信した通信信号に収容されたイベント情報に対処する意思がある旨（“対応する”）を端末装置ＳＰ、ＴＡで受け付けていないことを意味する対応フラグ「０」が登録される。なお、デフォルトでは、対応フィールド２３１６には、未受付を意味する対応フラグ「０」が登録される。なお、第１イベント通知通信信号に、前記所定の行動を検知した検知時刻または前記ナースコールを受け付けたナースコール受付時刻が収容されている場合には、受信時刻に代え、前記検知時刻または前記ナースコール受付時刻が登録されても良い。
【００２９】
装置間情報記憶部２３２は、前記装置間情報として、本実施形態では、通知先対応関係および通信アドレス対応関係等を記憶するものである。前記通知先対応関係は、センサ装置ＳＵから送信された第１イベント通知通信信号等の通知先（再通知先、再報知先、送信先）を示す、送信元であるセンサＩＤと通知先（再通知先）である端末ＩＤとの対応関係である。前記通信アドレス対応関係は、各装置ＳＵ、ＳＰ、ＴＡのＩＤ（センサＩＤ、端末ＩＤ）とその通信アドレスとの対応関係である。前記端末ＩＤ（端末識別子）は、端末装置ＳＰ、ＴＡを特定し端末装置ＳＰ、ＴＡを識別するための識別子である。
【００３０】
これら通知先対応関係および通信アドレス対応関係は、それぞれ、本実施形態では、テーブル形式で装置間情報記憶部２３２に記憶されている。この通知先対応関係を登録する通知先対応関係情報テーブルＡＴは、例えば、図４Ａに示すように、送信元のセンサ装置ＳＵのセンサＩＤを登録する送信元フィールド２３２１と、送信元フィールド２３２１に登録されたセンサＩＤに対応するセンサ装置ＳＵから通知された通信信号を送信する送信先の端末装置ＳＰ、ＴＡの端末ＩＤを登録する通知先フィールド２３２２とを備え、センサＩＤ（センサ装置ＳＵ）ごとにレコードを備える。前記通信アドレス対応関係を登録する通信アドレス対応関係情報テーブルＤＴは、例えば、図４Ｂに示すように、端末装置ＳＰ、ＴＡの端末ＩＤを登録する端末ＩＤフィールド２３２３と、端末ＩＤフィールド２３２３に登録された端末ＩＤに対応する端末装置ＳＰ、ＴＡの通信アドレスを登録する通信アドレスフィールド２３２４とを備え、端末ＩＤ（端末装置ＳＰ、ＴＡ）ごとにレコードを備える。
【００３１】
なお、センサＩＤ、サーバＩＤおよび端末ＩＤそれぞれは、例えば所定の記号列から成るシリアル番号等であって良く、また例えば通信アドレスであって良い（この場合通信アドレス対応関係は省略できる）。また、通知先対応関係は、１個の端末装置ＳＰ、ＴＡに対して複数のセンサ装置ＳＵが対応付けられても良い（マルチキャストやブロードキャスト等の同報通信を含む）。
【００３２】
ＳＶセンサ情報記憶部２３３は、前記センサ情報を記憶するものである。本実施形態では、前記センサ情報は、センサ装置ＳＵに関する情報であり、センサ装置ＳＵのセンサＩＤと被監視者Ｏｂの被監視者名とを互いに対応付けた情報である。
【００３３】
このようなセンサ情報は、本実施形態では、テーブル形式でＳＶセンサ情報記憶部２３３に記憶される。より具体的には、センサ情報を登録するサーバ側センサ情報テーブル（ＳＶセンサ情報テーブル）ＳＴ−ＳＶは、例えば、図５に示すように、センサＩＤを登録するセンサＩＤフィールド２３３１と、前記センサＩＤフィールド２３３１に登録されているセンサＩＤを持つセンサ装置ＳＵの配設場所を登録する配設場所フィールド２３３２と、前記センサＩＤフィールド２３３１に登録されているセンサＩＤを持つセンサ装置ＳＵによって監視される被監視者Ｏｂ（すなわち、前記センサＩＤフィールド２３３１に登録されているセンサＩＤを持つセンサ装置ＳＵの配設場所に居る被監視者Ｏｂ）の被監視者名を登録する被監視者名フィールド２３３３と、前記センサＩＤフィールド２３３１に登録されているセンサＩＤを持つセンサ装置ＳＵ、その配設場所およびその被監視者Ｏｂに関する備考を登録する備考フィールド２３３４とを備え、センサＩＤ（すなわち、センサ装置ＳＵ）ごとにレコードを持つ。
【００３４】
書式情報記憶部２３４は、前記書式情報を記憶するものである。前記書式情報は、看護および介護のうちの少なくとも一方を含む看介護の内容を看介護記録として入力するための記録書式に関する情報であり、前記記録書式は、予め規定された所定の様式（フォーマット、入力フォーム）として、前記看介護の種類に応じて複数、予め用意されている。
【００３５】
前記看介護の種類は、看護の実務や介護の実務等に応じて種々ある。例えば、前記看介護の種類として、定期性を有するケア、および、場所に依存するケア等が挙げられる。より具体的には、定期性を有するケアとして、日々実施される、モーニングケア（着替え、洗面および義歯装着等）、食事ケア（朝食ケア、昼食ケア、夕食ケア）、間食ケア、投薬ケア（服薬ケア）、歯磨きケア、水分補給ケア、バイタルチェック、イブニングケア（着替え、歯磨き、義歯外し、ベッド移乗等）、巡回、および、体位交換等、ならびに、曜日ごとや日にちごとに実施される、入浴ケア、リハビリ、レクリエーション、往診、身体清拭および体重測定等が挙げられる。場所に依存するケアとして、排泄ケア等が挙げられる。これら看介護は、例えばリビング、居室ＲＭ、トイレ、浴場およびナースステーション等の場所に依存したり、また例えば、看護師や介護士等、あるいは、当該看介護の担当者等の監視者に依存したりする。記録書式は、このような看介護の内容に応じて予め用意されており、例えば、モーニングケア用の記録書式、食事ケア用の記録書式、間食ケア用の記録書式、投薬ケア用の記録書式（服薬ケア用の記録書式）、歯磨きケア用の記録書式、および、水分補給ケア用の記録書式等がある。その一例が後述の図２１ないし図２３に示されている。図２１には、食事ケア用の記録書式の一例が携帯端末装置ＴＡに表示される画面で示されている。図２２には、水分ケア用の記録書式の一例が携帯端末装置ＴＡに表示される画面で示されている。図２３には、服薬ケア用（投薬ケア用）の記録書式の一例が携帯端末装置ＴＡに表示される画面で示されている。本実施形態では、前記書式情報は、このような端末装置ＳＰ、ＴＡに表示される記録書式画面を形成する記録書式の電子ファイルであり、前記記録書式の電子ファイルは、予め規定された所定の様式（フォーマット、入力フォーム）に従った記録書式を所定の記録書式画面で端末装置ＳＰ、ＴＡに表示できるように、例えばＨＴＭＬ（Ｈｙｐｅｒ  Ｔｅｘｔ  Ｍａｒｋｕｐ  Ｌａｎｇｕａｇｅ）やＸＭＬ（Ｅｘｔｅｎｓｉｂｌｅ  Ｍａｒｋｕｐ  Ｌａｎｇｕａｇｅ）等のマークアップ言語で記述され、書式情報記憶部２３４に記憶される。
【００３６】
看介護記録情報記憶部２３５は、前記看介護記録情報を記憶するものである。前記看介護記録情報は、看介護記録に関する情報であり、実施した看介護の種類および被監視者Ｏｂに対応付けられた、前記実施した看介護の内容等である。
【００３７】
このような看介護記録情報は、本実施形態では、テーブル形式で看介護記録情報記憶部２３５に記憶される。より具体的には、看介護記録情報を登録する看介護記録情報テーブルＲＴは、例えば、図６に示すように、被監視者Ｏｂごとに用意され、被監視者Ｏｂの被監視者名に対応付けられた看介護記録情報セットＲＳ（ＲＳ−１、ＲＳ−２、・・・）を備える。この看介護記録情報セットＲＳは、看介護の種類ごとに用意され、看介護の種類名に対応付けられた看介護記録サブテーブルＲＳＴ（ＲＳＴ−１１、ＲＳＴ−１２、・・・、ＲＳＴ−２１、ＲＳＴ−２２、・・・）を備える。看介護記録サブテーブルＲＳＴは、看介護を実施した時刻（実施時刻）を登録する実施時刻フィールド２３５１と、実施時刻フィールド２３５１に登録された時刻に実施した前記看介護の内容を登録する項目フィールド２３５２と、実施時刻フィールド２３５１に登録された時刻に実施した前記看介護に対するメモ（自由記述）を登録するメモフィールド２３５３と、実施時刻フィールド２３５１に登録された時刻、項目フィールド２３５２に登録された看介護の内容、および、メモフィールド２３５３に登録されたメモを、複数の端末装置ＳＰ、ＴＡ間で共有するか否かを示す共有化フラグを登録する共有化フィールド２３５４とを備え、実施した看介護ごとにレコードを持つ。項目フィールド２３５２は、看介護の内容が複数の項目を備える場合には、前記複数の項目に応じたサブ項目フィールド２３５２−ｎを備えて構成される。例えば、食事ケアの看介護記録は、後述するように、被監視者Ｏｂが摂食した主食量および副食量それぞれを記録するため、食事ケアの内容を登録する看介護記録サブテーブルＲＳＴは、被監視者Ｏｂが摂食した主食量を登録するＡ項目（主食量）サブフィールド２３５２−１と、被監視者Ｏｂが摂食した副食量を登録するＢ項目（副食量）サブフィールド２３５２−２とを備える。メモフィールド２３５３には、メモのテキストデータがそのまま登録されて良く、またメモのファイルのファイル名が登録されて良い。共有化フラグは、複数の端末装置ＳＰ、ＴＡ間で共有することを意味する共有化フラグ「１」と、複数の端末装置ＳＰ、ＴＡ間で共有しないことを意味する共有化フラグ「０」とから成り、デフォルトでは、共有化フィールド２３５４には、非共有を意味する共有化フラグ「０」が登録される。
【００３８】
このように、本実施形態では、看介護記録情報記憶部２３５には、看介護の種類ごとにそれぞれ用意された看介護の各内容を登録するための複数のテーブルＲＳＴのセット（組）ＲＳが、被監視者Ｏｂごとに用意され、記憶される。
【００３９】
看介護目標情報記憶部２３６は、前記看介護目標情報を記憶するものである。前記看介護目標情報は、看介護の目標に関する情報であり、前記看介護の目標は、看介護の種類別および被監視者Ｏｂそれぞれに対応付けられている。すなわち、前記看介護の目標は、看介護の種類別に、そして、被監視者Ｏｂ別に設定されている。
【００４０】
このような看介護目標情報は、本実施形態では、テーブル形式で看介護目標情報記憶部２３６に記憶される。より具体的には、看介護目標情報を登録する看介護目標情報テーブルＰＴは、例えば、図７に示すように、被監視者名を登録する被監視者名フィールド２３６１と、被監視者名フィールド２３６１に登録された被監視者名の被監視者Ｏｂにおける食事ケアの目標を登録する食事ケアフィールド２３６２と、被監視者名フィールド２３６１に登録された被監視者名の被監視者Ｏｂにおける水分ケアの目標を登録する水分ケアフィールド２３６３と、被監視者名フィールド２３６１に登録された被監視者名の被監視者Ｏｂにおける服薬ケアの目標を登録する服薬（投薬）ケアフィールド２３６４とを備え、被監視者名ごとにレコードを持つ。食事ケアフィールド２３６２には、食事ケアに関する所定の目標が登録される。本実施形態では、食事ケアフィールド２３６２には、１回の食事全量（主食量（「１０」）および副食量（「１０」）の和）を「２０」とした場合における１日当たりの摂食量の目標が登録される。例えば、食事ケアフィールド２３６２に登録された目標「４０／日」は、３回（朝食、昼食および夕食）の食事全量「６０」に対し１日当たり「４０」の摂食が目標量であることを意味する。なお、量単位に代え、カロリー単位で目標値が設定されてもよい。水分ケアフィールド２３６３には、水分ケアに関する所定の目標が登録される。本実施形態では、水分ケアフィールド２３６３には、ｃｃ単位で１日当たりの水分摂取量の目標量が登録される。例えば、水分ケアフィールド２３６３に登録された目標「４００ｃｃ／日」は、１日当たり「４００ｃｃ」の水分摂取が目標量であることを意味する。服薬（投薬）ケアフィールド２３６４には、服薬ケア（投薬ケア）に関する所定の目標が登録される。本実施形態では、服薬（投薬）ケアフィールド２３６４には、所定期間当たりの服薬量（投薬量）の目標値が登録される。例えば、服薬（投薬）ケアフィールド２３６４に登録された目標「４錠／３日」は、３日当たり「４錠」の服薬（投薬）が目標量であることを意味する。単位は、錠だけでなく、ｃｃやｍｇ等も有り得る。
【００４１】
ＳＶ制御処理部２２は、管理サーバ装置ＳＶの各部を当該各部の機能に応じてそれぞれ制御し、センサ装置ＳＵから前記所定のイベントの通知を受けると、被監視者Ｏｂに対する監視に関する監視情報を管理し、前記所定のイベントを所定の端末装置ＳＰ、ＴＡへ通知し、クライアントの要求に応じたデータを前記クライアントに提供し、被監視者監視システムＭＳ全体を管理するための回路である。本実施形態では、ＳＶ制御処理部２２は、例えば、所定の記録書式の送信や、前記所定の記録書式を用いて記入された看介護記録の記憶や、所定の期間における、看介護の種類および被監視者Ｏｂに対応する看介護の内容の積算や、この積算結果の所定の端末装置ＳＰ、ＴＡへの表示等の、前記看介護記録に関する所定の情報処理を実行する。ＳＶ制御処理部２２は、例えば、ＣＰＵ（Ｃｅｎｔｒａｌ  Ｐｒｏｃｅｓｓｉｎｇ  Ｕｎｉｔ）およびその周辺回路を備えて構成される。ＳＶ制御処理部２２は、前記制御処理プログラムが実行されることによって、サーバ側制御部（ＳＶ制御部）２２１、サーバ側監視処理部（ＳＶ監視処理部）２２２、サーバ側看介護記録処理部（ＳＶ看介護記録処理部）２２３および時計部２２４を機能的に備える。
【００４２】
ＳＶ制御部２２１は、管理サーバ装置ＳＶの各部を当該各部の機能に応じてそれぞれ制御し、管理サーバ装置ＳＶの全体制御を司るものである。
【００４３】
ＳＶ監視処理部２２２は、被監視者Ｏｂに対する監視に関する所定の情報処理を実行するものである。より具体的には、ＳＶ監視処理部２２２は、センサ装置ＳＵから前記所定のイベントの通知を受信すると被監視者Ｏｂに対する監視に関する監視情報を管理し、前記所定のイベントを所定の端末装置ＳＰ、ＴＡへ通知する。より詳しくは、ＳＶ監視処理部２２２は、センサ装置ＳＵから前記第１イベント通知通信信号を受信すると、この受信した第１イベント通知通信信号に収容された、被監視者Ｏｂに対する監視に関する監視情報をＳＶ監視情報記憶部２３１に記憶（記録）する。そして、ＳＶ監視処理部２２２は、この受信した第１イベント通知通信信号を送信したセンサ装置ＳＵに対応する通知先（再通知先、報知先、転送先、送信先）を装置間情報記憶部２３２に記憶された前記通知先対応関係から選定（検索）し、この選定した端末装置ＳＰ、ＴＡへ第２イベント通知通信信号を送信する。この選定（検索処理）は、前記受信した第１イベント通知通信信号を送信したセンサ装置ＳＵに対応するセンサＩＤに基づいて実施される。前記第２イベント通知通信信号には、前記第１イベント通知通信信号に収容されたイベント情報が前記所定の行動（入床、起床、離床および転倒のうちの１または複数）である場合には、第１イベント通知通信信号に収容されたセンサＩＤ、イベント情報および対象画像、ならびに、動画のダウンロード先として、第１イベント通知通信信号に収容されたセンサＩＤを持つセンサ装置ＳＵに対応する通信アドレスが収容される。この通信アドレスは、前記受信した第１イベント通知通信信号を送信したセンサ装置ＳＵに対応するセンサＩＤに基づいて通信アドレス対応関係から選定（検索）される。前記第１イベント通知通信信号に収容されたイベント情報が前記ナースコールである場合には、前記第２イベント通知通信信号には、第１イベント通知通信信号に収容されたセンサＩＤおよびイベント情報（ナースコール）が収容される。
【００４４】
ＳＶ看介護記録処理部２２３は、看護および介護のうちの少なくとも一方を含む看介護の内容の記録である看介護記録に関する所定の情報処理を実行するものである。本実施形態では、ＳＶ看介護記録処理部２２３は、看介護記録を看介護記録情報記憶部２３５に記憶するための第１処理、および、看介護記録情報記憶部２３５に記憶された看介護記録に基づいて、所定の期間について、看介護の種類および被監視者Ｏｂに対応する看介護の内容の積算を求め、この求めた積算結果を、所定の表示装置に表示させる第２処理を実行する。前記所定の期間は、前記看介護の種類に応じて予め設定されている積算開始時点から、当該積算時点までである。本実施形態では、例えば、食事ケアや水分ケア等のように看介護の目標が１日当たりで規定されている場合には、前記積算開始時点は、１日の始まりである０時や、看介護の１日は採血やバイタルチェック等で始まるので、５時や６時等である。また例えば、服薬ケア（投薬ケア）等のように看介護の目標が複数日当たりで規定されている場合には、前記積算開始時点は、前記複数日における初日の０時等である。前記所定の表示装置は、本実施形態では、所定の端末装置ＳＰ、ＴＡである。
【００４５】
より具体的には、第１処理では、ＳＶ看介護記録処理部２２３は、後述のように端末装置ＳＰ、ＴＡとの間で各通信信号を送受信することによって、看介護記録の対象者（被監視者Ｏｂ）を選択する対象者選択処理、前記対象者のために、所定の記録書式を選択する書式選択処理、および、記録書式を用いた看介護記録の記録処理の各処理を順次に実行する。
【００４６】
第２処理では、ＳＶ看介護記録処理部２２３は、４個の第１ないし第４モードで、前記看介護の内容を積算してその積算結果を所定の表示装置（本実施形態では所定の端末装置ＳＰ、ＴＡ）に表示させる。
【００４７】
より詳しくは、第１モードでは、ＳＶ看介護記録処理部２２３は、看介護目標情報記憶部２３６に記憶された看介護目標情報から、前記求めた積算結果に対応する看介護の種類および被監視者Ｏｂにさらに対応する看介護の目標を取り出し、前記求めた積算結果を、前記取り出した看介護の目標と関連するように、前記所定の表示装置に表示させる。ＳＶ看介護記録処理部２２３は、前記取り出した看介護の目標そのものを前記所定の表示装置にさらに表示させることによって、前記求めた積算結果を、前記取り出した看介護の目標と関連するように、前記所定の表示装置に表示させて良いが、本実施形態では、ＳＶ看介護記録処理部２２３は、前記取り出した看介護の目標に対する前記求めた積算結果の達成度合い（例えば百分率で表した達成率、百分率で表した未達率および未達量等）を求め、前記求めた達成度合いを前記所定の表示装置にさらに表示させることによって、前記求めた積算結果を、前記取り出した看介護の目標と関連するように、前記所定の表示装置に表示させる。前記積算結果の達成度合いは、その数値そのままで前記所定の表示装置に表示させて良いが、本実施形態では、前記積算結果の達成度合いは、グラフ表示（例えば円グラフおよび棒グラフ等）で前記所定の表示装置に表示させる。この第１モードでは、ＳＶ看介護記録処理部２２３は、書式情報記憶部２３４に記憶され選択可能な記録書式の種類を表示して前記記録書式の種類を選択するための書式選択画面に、前記求めた積算結果を表示させることによって、前記求めた積算結果を、前記所定の表示装置に表示させる。したがって、第１モードでは、前記求めた積算結果は、書式選択画面に表示され、前記所定の期間における積算時点は、この書式選択画面を生成する時点となる。
【００４８】
第２モードでは、ＳＶ看介護記録処理部２２３は、看介護目標情報記憶部２３６に記憶された看介護目標情報から、前記求めた積算結果に対応する看介護の種類および被監視者Ｏｂにさらに対応する看介護の目標を取り出し、この取り出した看介護の目標に対する前記求めた積算結果の達成度合いを求め、前記所定の期間における積算開始時点から当該積算時点までの経過時間を求め、前記求めた積算結果の達成度合いおよび経過時間が所定の条件を満たす場合に、警告を、前記所定の表示装置にさらに表示させる。前記所定の条件は、看介護の目標を達成できるように、前記看介護の種類、前記看介護の目標の大きさおよび前記看介護の目標の単位期間等を勘案することによって、予め適宜に設定される。例えば、水分ケアの目標が１日当たりの水分摂取量である場合、前記所定の条件は、起きている時間帯に対する所定の第１割合（例えば５０％や６０％等）の時刻（警告判定時刻）において、前記看介護の目標に対する所定の第２割合（例えば２５％や３０％や３５％等）の大きさ（警告判定閾値）以下である。前記起きている時間帯は、起床時刻から就寝時刻（消灯時刻）までの時間帯であり、例えば起床時刻が６時で就寝時刻が２０時であり、前記所定の第１割合が５０％である場合、前記所定の条件における警告判定時刻は、１３時となる。また、或る被監視者Ｏｂの水分摂取の積算量が目標の２０％であり、前記警告判定閾値が４０％である場合、起きている時間帯の５０％の時刻において、前記或る被監視者Ｏｂの水分摂取の積算量は、水分摂取の望ましい量５０％に対し、３０％少ないことになる。このため、警告によって、監視者（ユーザ）は、前記或る被監視者Ｏｂの成分ケアを積極的に実施し、水分の摂取を前記或る被監視者Ｏｂに促すことが望ましい。
【００４９】
このような第２モードの処理は、所定の時間間隔（例えば５分間隔や１０分間隔や３０分間隔等）で繰り返し実行されて良く、また前記警告判定時刻に実施されて良い。なお、前記警告判定時刻が看介護の種類に応じて複数設定されている場合には、前記複数の警告判定時刻それぞれで実施される。
【００５０】
この第２モードでは、ＳＶ看介護記録処理部２２３は、前記警告するための警告画面を前記所定の表示装置に表示させることによって、前記警告を、前記所定の表示装置にさらに表示させる。前記警告画面は、前記所定の表示装置に表示させた警告に対して所定の対応を実施する意思が前記所定の表示装置を取り扱う監視者（ユーザ）にある旨の入力を受け付けるための入力ボタン（後述の「対応する」ボタン７１６がその一例に相当する）を含む。したがって、第２モードでは、前記求めた積算結果は、前記警告画面に表示され、前記所定の期間における積算時点は、第２モードの処理が実行される時点となる。そして、ＳＶ看介護記録処理部２２３は、前記所定の表示装置で前記入力ボタン（本実施形態では「対応する」ボタン７１６）の入力操作を受け付けた場合に、書式情報記憶部２３４から、前記警告に応じた看介護の種類に対応する記録書式を取り出し、この取り出した記録書式を、前記所定の表示装置に表示させる。
【００５１】
第３モードでは、ＳＶ看介護記録処理部２２３は、看介護記録の表示を要求された場合に、看介護記録情報記憶部２３５に記憶された看介護記録に基づいて、所定の期間について、看介護の種類および被監視者Ｏｂに対応する看介護の内容の積算を求め、前記求めた積算結果を、前記所定の表示装置として前記要求を行った要求元の表示装置に表示させる。そして、第１モードと同様に、ＳＶ看介護記録処理部２２３は、看介護目標情報記憶部２３６に記憶された看介護目標情報から、前記求めた積算結果に対応する看介護の種類および被監視者Ｏｂにさらに対応する看介護の目標を取り出し、前記求めた積算結果を、前記取り出した看介護の目標と関連するように、前記所定の表示装置として前記要求を行った要求元の表示装置に表示させる。したがって、第３モードでは、前記求めた積算結果は、看介護記録を表示するための画面（履歴表示画面）に表示され、前記所定の期間における積算時点は、第３モードの処理が実行される時点、すなわち、前記要求を受け付けた時点となる。
【００５２】
第４モードでは、ＳＶ看介護記録処理部は、端末装置ＳＰ、ＴＡが当該被監視者監視システムＭＳにログインした場合に、看介護記録情報記憶部２３５に記憶された看介護記録に基づいて、所定の期間について、看介護の種類および被監視者Ｏｂに対応する看介護の内容の積算を求め、看介護目標情報記憶部２３６に記憶された看介護目標情報から、前記求めた積算結果に対応する看介護の種類および被監視者Ｏｂにさらに対応する看介護の目標を取り出し、前記取り出した看介護の目標に対する前記求めた積算結果の達成度合いを求め、前記所定の期間における積算開始時点から前記ログインの時点までの経過時間を求め、前記求めた積算結果の達成度合いおよび経過時間が所定の条件を満たす場合に、警告を、前記所定の表示装置として前記ログインした前記端末装置に表示させる。この第４モードにおける前記所定の条件は、上述の第２モードにおける前記所定の条件と同様である。第４モードでは、前記求めた積算結果は、第２モードと同様に警告画面に表示され、前記所定の期間における積算時点は、第４モードの処理が実行される時点、すなわち、前記端末装置ＳＰ、ＴＡのログインを受け付けた時点となる。
【００５３】
これら第１および第３モードにおいて、本実施形態では、ＳＶ看介護記録処理部２２３は、看介護目標情報記憶部２３６に記憶された看介護目標情報から、前記求めた積算結果に対応する看介護の種類および被監視者にさらに対応する看介護の目標を取り出し、前記取り出した看介護の目標に対する前記求めた積算結果の達成度合いを求め、前記所定の期間における積算開始時点から当該積算時点までの経過時間を求め、前記求めた積算結果の達成度合いおよび経過時間が所定の条件を満たすか否かに応じた互いに異なる表示態様で、前記求めた積算結果を、前記所定の表示装置に表示させる。例えば、ＳＶ看介護記録処理部２２３は、前記求めた積算結果の達成度合いおよび経過時間が所定の条件を満たすか否かに応じた互いに異なる表示色で、前記求めた積算結果を、前記所定の表示装置に表示させる。例えば、前記求めた積算結果の達成度合いおよび経過時間が所定の条件を満たさない場合には、前記求めた積算結果は、緑色や青色等で、前記所定の表示装置に表示され、前記求めた積算結果の達成度合いおよび経過時間が所定の条件を満たす場合には、前記求めた積算結果は、黄色や赤色等で、前記所定の表示装置に表示される。また例えば、ＳＶ看介護記録処理部２２３は、前記求めた積算結果の達成度合いおよび経過時間が所定の条件を満たすか否かに応じた互いに異なる点灯状態で、前記求めた積算結果を、前記所定の表示装置に表示させる。例えば、前記求めた積算結果の達成度合いおよび経過時間が所定の条件を満たさない場合には、前記求めた積算結果は、常時点灯状態で、前記所定の表示装置に表示され、前記求めた積算結果の達成度合いおよび経過時間が所定の条件を満たす場合には、前記求めた積算結果は、点滅状態で、前記所定の表示装置に表示される。
【００５４】
これら第１ないし第４モードにおいて、本実施形態では、ＳＶ看介護記録処理部２２３は、看介護記録情報記憶部２３５に記憶された看介護記録に基づいて、前記求めた積算結果に対応する看介護の種類および被監視者Ｏｂにさらに対応する看介護の前回の実施時点から、前記求めた積算結果の積算時点までの経過時間を求め、前記求めた経過時間を、前記所定の表示装置にさらに表示させる。
【００５５】
時計部２２４は、年月日時分を計時するものである。
【００５６】
なお、管理サーバ装置ＳＶは、図２に破線で示すように、必要に応じて、さらに、ＳＶ制御処理部２２に接続され例えば各種コマンドや各種データ等を入力するサーバ側入力部（ＳＶ入力部）２４、ＳＶ入力部２４で入力された各種コマンドや各種データおよび被監視者Ｏｂに対する監視に関する監視情報等を出力するサーバ側出力部（ＳＶ出力部）２５、および、外部機器との間でデータの入出力を行うサーバ側インターフェース部（ＳＶＩＦ部）２６等を備えても良い。このＳＶ出力部２５が表示装置である場合には、ＳＶ出力部２５は、積算結果を表示する前記所定の表示装置の一例に相当する。
【００５７】
このような管理サーバ装置ＳＶは、例えば、通信機能付きのコンピュータによって構成可能である。
【００５８】
固定端末装置ＳＰは、ネットワークＮＷを介して他の装置ＳＵ、ＳＶ、ＴＡと通信する通信機能、所定の情報を表示する表示機能、および、所定の指示やデータを入力する入力機能等を備え、管理サーバ装置ＳＶや携帯端末装置ＴＡに与える所定の指示やデータを入力したり、センサ装置ＳＵで得られた監視情報を表示したり等することによって、被監視者監視システムＭＳのユーザインターフェース（ＵＩ）として機能する機器である。このような固定端末装置ＳＰは、例えば、通信機能付きのコンピュータによって構成可能である。固定端末装置ＳＰは、積算結果を表示する前記所定の表示装置の他の一例に相当する。
【００５９】
なお、前記端末装置の一例としての固定端末装置ＳＰは、携帯端末装置ＴＡと同様に動作するが、本明細書では、前記端末装置の他の一例である携帯端末装置ＴＡについて説明される。
【００６０】
携帯端末装置ＴＡは、ネットワークＮＷを介して他の装置ＳＶ、ＳＰ、ＳＵと通信する通信機能、所定の情報を表示する表示機能、所定の指示やデータを入力する入力機能、および、音声通話を行う通話機能等を備え、管理サーバ装置ＳＶやセンサ装置ＳＵに与える所定の指示やデータ（看介護記録のデータを含む）を入力したり、管理サーバ装置ＳＶからの通知によってセンサ装置ＳＵで得られた前記監視情報を表示したり、センサ装置ＳＵとの間で音声通話によってナースコールの応答や声かけしたり等するための機器である。携帯端末装置ＴＡは、積算結果を表示する前記所定の表示装置の他の一例に相当する。
このような携帯端末装置ＴＡは、本実施形態では、例えば、図８に示すように、端末側通信インターフェース部（ＴＡ通信ＩＦ部）３１と、端末側制御処理部（ＴＡ制御処理部）３２と、端末側記憶部（ＴＡ記憶部）３３と、端末側音入出力部（ＴＡ音入出力部）３４と、端末側入力部（ＴＡ入力部）３５と、端末側表示部（ＴＡ表示部）３６と、端末側インターフェース部（ＴＡＩＦ部）３７とを備える。
【００６１】
ＴＡ音入出力部３４は、ＴＡ制御処理部３２に接続され、外部の音を取得して携帯端末装置ＴＡに入力するための回路であって、ＴＡ制御処理部３２の制御に従って音を表す電気信号に応じた音を生成して出力するための回路である。ＴＡ音入出力部３４は、例えば、音の電気信号（音データ）を音の機械振動信号（音響信号）に変換するスピーカ等と、可聴領域の音の機械振動信号を電気信号に変換するマイクロフォン等とを備えて構成される。ＴＡ音入出力部３４は、外部の音を表す電気信号をＴＡ制御処理部３２へ出力し、ＴＡ制御処理部３２から入力された電気信号を音の機械振動信号に変換して出力する。
【００６２】
ＴＡ入力部３５は、ＴＡ制御処理部３２に接続され、例えば、所定の操作を受け付け、携帯端末装置ＴＡに入力する回路であり、例えば、所定の機能を割り付けられた複数の入力スイッチ等である。前記所定の操作には、例えば、ログインするためのＩＤの入力操作や、音声通話の要求操作およびその終了操作や、ライブでの動画の要求操作およびその終了操作や、前記通知されたイベントに関わる被監視者Ｏｂに対する例えば救命、看護、介護および介助等の対応（対処、処置、措置）を実行する意思が当該携帯端末装置ＴＡを扱う監視者（ユーザ）にある旨（“対応する”）の入力操作や、所定の記録書式を用いた看介護記録の入力操作等の、監視する上で必要な各種操作等が含まれる。ＴＡ表示部３６は、ＴＡ制御処理部３２に接続され、ＴＡ制御処理部３２の制御に従って、ＴＡ入力部３５から入力された所定の操作内容や、被監視者監視システムＭＳによって監視されている被監視者Ｏｂに対する監視に関する前記監視情報（例えば前記所定のイベント（センサ装置ＳＵで検知した所定の行動の種類やセンサ装置ＳＵで受け付けたナースコール）、被監視者Ｏｂの画像（静止画および動画）、および、前記通知を受けた時刻等）や、看介護記録を入力するための記録書式や、後述の積算結果およびその警告等を表示する回路であり、例えばＬＣＤ（液晶ディスプレイ）および有機ＥＬディスプレイ等の表示装置である。そして、本実施形態では、ＴＡ入力部３５およびＴＡ表示部３６からタッチパネルが構成されている。この場合において、ＴＡ入力部３５は、例えば抵抗膜方式や静電容量方式等の操作位置を検出して入力する位置入力デバイスである。このタッチパネルでは、ＴＡ表示部３６の表示面上に位置入力デバイスが設けられ、ＴＡ表示部３６に入力可能な１または複数の入力内容の候補が表示され、例えば看護師や介護士等のユーザ（監視者）が、入力したい入力内容を表示した表示位置を触れると、位置入力デバイスによってその位置が検出され、検出された位置に表示された表示内容がユーザの操作入力内容として携帯端末装置ＴＡに入力される。
【００６３】
ＴＡＩＦ部３７は、ＴＡ制御処理部３２に接続され、ＴＡ制御処理部３２の制御に従って、外部機器との間でデータの入出力を行う回路であり、例えば、Ｂｌｕｅｔｏｏｔｈ（登録商標）規格を用いたインターフェース回路、ＩｒＤＡ規格等の赤外線通信を行うインターフェース回路、および、ＵＳＢ規格を用いたインターフェース回路等である。
【００６４】
ＴＡ通信ＩＦ部３１は、ＳＶ通信ＩＦ部２１と同様に、ＴＡ制御処理部３２に接続され、ＴＡ制御処理部３２の制御に従って通信を行うための通信回路である。ＴＡ通信ＩＦ部３１は、例えば、ＩＥＥＥ８０２．１１規格等に従った通信インターフェース回路を備えて構成される。
【００６５】
ＴＡ記憶部３３は、ＴＡ制御処理部３２に接続され、ＴＡ制御処理部３２の制御に従って、各種の所定のプログラムおよび各種の所定のデータを記憶する回路である。前記各種の所定のプログラムには、例えば、携帯端末装置ＴＡの各部を当該各部の機能に応じてそれぞれ制御するＴＡ制御プログラムや、被監視者Ｏｂに対する監視に関する所定の情報処理を実行するＴＡ監視処理プログラムや、ＴＡ音入出力部３４等を用いることでセンサ装置ＳＵとの間で音声通話を行う通話処理プログラムや、センサ装置ＳＵから動画の配信を受け、前記配信を受けた動画をストリーミング再生でＴＡ表示部３６に表示するストリーミング処理プログラムや、看介護記録に関する所定の情報処理を実行するＴＡ看介護記録処理プログラム等の制御処理プログラムが含まれる。前記各種の所定のデータでは、自機の端末ＩＤ、被監視者Ｏｂの前記監視情報、センサ装置ＳＵに関するセンサ情報、および、ＴＡ表示部３６に表示される画面情報等の各プログラムを実行する上で必要なデータ等が含まれる。ＴＡ記憶部３３は、例えばＲＯＭやＥＥＰＲＯＭ等を備える。ＴＡ記憶部３３は、前記所定のプログラムの実行中に生じるデータ等を記憶するいわゆるＴＡ制御処理部３２のワーキングメモリとなるＲＡＭ等を含む。
【００６６】
これら監視情報、センサ情報および画面情報それぞれを記憶するために、ＴＡ記憶部３３は、端末側監視情報記憶部（ＴＡ監視情報記憶部）３３１、端末側センサ情報記憶部（ＴＡセンサ情報記憶部）３３２および画面情報記憶部３３３を機能的に備える。
【００６７】
ＴＡ監視情報記憶部３３１は、前記監視情報を記憶するものである。本実施形態では、ＴＡ監視情報記憶部３３１は、前記監視情報として、管理サーバ装置ＳＶから受信した第２イベント通知通信信号に収容されたセンサＩＤ、イベント情報（事象情報、本実施形態では入床、起床、離床、転倒およびナースコール）、画像および動画のダウンロード先のセンサ装置ＳＵの通信アドレス、ならびに、当該第２イベント通知通信信号の受信時刻および対処の有無等を互いに対応付けて記憶する。より具体的には、ＴＡ監視情報記憶部３３１は、図３に示すように、ＳＶ監視情報テーブルＭＴ−ＳＶと同様な端末側監視情報テーブル（ＴＡ監視情報テーブル）ＭＴ−ＴＡに前記監視情報を記憶する。
【００６８】
ＴＡセンサ情報記憶部３３２は、前記センサ情報を記憶するものである。ＴＡセンサ情報記憶部３３２は、センサＩＤ、配設場所、被監視者名および備考を互いに対応付けて記憶する。より具体的には、ＴＡセンサ情報記憶部３３２は、図５に示すように、ＳＶセンサ情報テーブルＳＴ−ＳＶと同様な端末側センサ情報テーブル（ＴＡセンサ情報テーブル）ＳＴ−ＴＡに前記センサ情報を記憶する。
【００６９】
画面情報記憶部３３３は、比較的多用する、例えば後述の待受け画面５１等の電子ファイルを予め記憶したり、管理サーバ装置ＳＶから受信した所定の記録書式画面６４等の電子ファイルを記憶したりするものである。
【００７０】
ＴＡ制御処理部３２は、携帯端末装置ＴＡの各部を当該各部の機能に応じてそれぞれ制御し、被監視者Ｏｂの前記監視情報を受けて表示し、ナースコールの応答や声かけするための回路である。本実施形態では、ＴＡ制御処理部３２は、所定の記録書式を用いた看介護記録の入力処理を実行する。ＴＡ制御処理部３２は、例えば、ＣＰＵおよびその周辺回路を備えて構成される。ＴＡ制御処理部３２は、制御処理プログラムが実行されることによって、端末側制御部（ＴＡ制御部）３２１、端末側監視処理部（ＴＡ監視処理部）３２２、通話処理部３２３、ストリーミング処理部３２４および端末側看介護記録処理部（ＴＡ看介護記録処理部）３２５を機能的に備える。
【００７１】
ＴＡ制御部３２１は、携帯端末装置ＴＡの各部を当該各部の機能に応じてそれぞれ制御し、携帯端末装置ＴＡの全体制御を司るものである。
【００７２】
ＴＡ監視処理部３２２は、被監視者Ｏｂに対する監視に関する所定の情報処理を実行するものである。より具体的には、ＴＡ監視処理部３２２は、センサ装置ＳＵによって送信された第１イベント通知通信信号、に起因して管理サーバ装置ＳＶによって送信された第２イベント通知通信信号を受信した場合に、この受信した第２イベント通知通信信号に収容された各情報（各データ）に基づき、被監視者Ｏｂの監視情報をＴＡ監視情報記憶部３３１に記憶（記録）する。ＴＡ監視処理部３２２は、この受信した第２イベント通知通信信号に収容された各情報に応じた画面をＴＡ表示部３６に表示する。そして、ＴＡ監視処理部３２２は、ＴＡ入力部３５から所定の入力操作を受け付けると、その入力操作に応じた所定の処理を実行する。
【００７３】
通話処理部３２３は、ＴＡ音入出力部３４等を用いることでセンサ装置ＳＵとの間で音声通話を行うものである。より具体的には、例えば、通話処理部３２３は、ＴＡ音入出力部３４等を用い、第２イベント通知通信信号の送信の原因となった第１イベント通知通信信号を管理サーバ装置ＳＶへ送信した送信元のセンサ装置ＳＵとの間で例えばＶｏＩＰ（Ｖｏｉｃｅ  ｏｖｅｒ  Ｉｎｔｅｒｎｅｔ  Ｐｒｏｔｏｃｏｌ）によって音声通話を行う。
【００７４】
ストリーミング処理部３２４は、センサ装置ＳＵから動画（例えばライブの動画）の配信を受け、前記配信を受けた動画をストリーミング再生でＴＡ表示部３６に表示するものである。
【００７５】
ＴＡ看介護記録処理部３２５は、看介護記録に関する所定の情報処理を実行するものである。より具体的には、ＴＡ看介護記録処理部３２５は、所定の記録書式を用いた看介護記録の入力処理を実行する。より詳しくは、ＴＡ看介護記録処理部３２５は、管理サーバ装置ＳＶとの間で各通信信号を送受信することによって、看介護記録の対象者（被監視者Ｏｂ）を選択する対象者選択処理、所定の記録書式を選択する書式選択処理、および、前記選択した記録書式を用いた看介護記録の記録処理の各処理を順次に実行する。
【００７６】
このような携帯端末装置ＴＡは、例えば、いわゆるタブレット型コンピュータやスマートフォンや携帯電話機等の、持ち運び可能な通信端末装置によって構成可能である。
【００７７】
次に、本実施形態における被監視者監視システムの動作について説明する。図９は、前記携帯端末装置に表示される待受け画面の一例を示す図である。図１０は、前記携帯端末装置に表示される監視情報画面の一例を示す図である。図１１は、前記携帯端末装置に表示されるナースコール受付画面の一例を示す図である。図１２は、前記固定端末装置に表示させる目標設定画面の一例を示す図である。図１３は、実施形態の被監視者監視システムにおける看介護記録の動作を示すシーケンス図である。図１４は、実施形態の被監視者監視システムにおける第１モードでの状況表示の動作を示すフローチャートである。図１５は、実施形態の被監視者監視システムにおける第２モードでの状況表示の動作を示すフローチャートである。図１６は、実施形態の被監視者監視システムにおける第３モードでの状況表示の動作を示すフローチャートである。図１７は、実施形態の被監視者監視システムにおける第４モードでの状況表示の動作を示すフローチャートである。図１８は、前記携帯端末装置に表示される対象者選択画面の一例を示す図である。図１９は、前記携帯端末装置に表示されるサブメニュー画面の一例を示す図である。図２０は、前記携帯端末装置に表示される書式選択画面の一例を示す図である。図２１は、前記携帯端末装置に表示される食事ケア用記録書式画面の一例を示す図である。図２２は、前記携帯端末装置に表示される水分ケア用記録書式画面の一例を示す図である。図２２Ａは、飲料の種類（飲料種）を入力するための画面の一例を示し、図２２Ｂは、水分摂取量を入力するための画面の一例を示し、図２２Ｃは、水分ケアの実施時刻を入力するための画面の一例を示す。図２３は、前記携帯端末装置に表示される服薬ケア用記録書式画面（投薬ケア用記録書式画面）の一例を示す図である。図２４は、前記携帯端末装置に表示される警告画面の一例を示す図である。図２５は、前記固定端末装置に表示された履歴表示画面の一例を示す図である。
【００７８】
以下では、まず、第１に、図９ないし図１１を用いて、被監視者を監視する監視動作について説明し、次に、第２に、図１２を用いて、看介護の目標を設定する処理について説明し、次に、第３に、図１３、図１４、および、図１８ないし図２３を用いて、前記第１モードでの状況表示の処理について説明し、次に、第４に、図１５および図２４を用いて、前記第２モードでの状況表示の処理について説明し、次に、第５に、図１６および図２５を用いて、前記第３モードでの状況表示の処理について説明し、そして、第６に、図１７および図２４を用いて、前記第４モードでの状況表示の処理について説明する。
【００７９】
上記構成の被監視者監視システムＭＳでは、各装置ＳＵ、ＳＶ、ＳＰ、ＴＡは、電源が投入されると、必要な各部の初期化を実行し、その稼働を始める。管理サーバ装置ＳＶでは、その制御処理プログラムの実行によって、ＳＶ制御処理部２１には、ＳＶ制御部２２１、ＳＶ監視処理部２２２およびＳＶ看介護記録処理部２２３が機能的に構成される。携帯端末装置ＴＡでは、その制御処理プログラムの実行によって、ＴＡ制御処理部３２には、ＴＡ制御部３２１、ＴＡ監視処理部３２２、通話処理部３２３、ストリーミング処理部３２４およびＴＡ看介護記録処理部３２５が機能的に構成される。
【００８０】
（監視動作）
監視動作では、センサ装置ＳＵは、各フレームごとに、あるいは、数フレームおきに、次のように動作することで、被監視者Ｏｂにおける所定の動作を検知し、また、ナースコールの受付の有無を判定している。まず、センサ装置ＳＵは、前記画像センサから１フレーム分の画像（画像データ）を対象画像として取得し、この取得した対象画像に基づいて被監視者Ｏｂにおける所定の行動を検知し、前記所定の行動を検知すると、その検知結果を所定の端末装置ＳＰ、ＴＡへ通知するために、前記イベント情報として検知した前記所定の行動を収容した、前記所定の行動の検知にかかる第１イベント通知通信信号を、管理サーバ装置ＳＶへ送信する。このように動作している間に、センサ装置ＳＵは、ナースコールを受け付けているか否かを判定し、ナースコールを受け付けると、そのナースコールの受付を所定の端末装置ＳＰ、ＴＡへ通知するために、センサ装置ＳＵは、前記イベント情報として前記受け付けたナースコールを収容した、前記ナースコールの受付にかかる第１イベント通知通信信号を、管理サーバ装置ＳＶへ送信する。
【００８１】
管理サーバ装置ＳＶは、第１イベント通知通信信号をネットワークＮＷを介してセンサ装置ＳＵから受信すると、ＳＶ監視処理部２２２によって、この第１イベント通知通信信号に収容されたセンサＩＤおよびイベント情報等の各情報を、このセンサＩＤを持つセンサ装置ＳＵで監視されている被監視者Ｏｂの監視情報として記憶（記録）する。管理サーバ装置ＳＶは、ＳＶ監視処理部２２２によって、前記通知先対応関係から、前記受信した第１イベント通知通信信号における送信元（通知元）のセンサ装置ＳＵに対応する通知先の端末装置ＳＰ、ＴＡを特定し、この通知先の端末装置ＳＰ、ＴＡへ第２イベント通知通信信号を送信する。
【００８２】
固定端末装置ＳＰおよび携帯端末装置ＴＡは、前記第２イベント通知通信信号をネットワークＮＷを介して管理サーバ装置ＳＶから受信すると、ＴＡ監視処理部３２２によって、この第２イベント通知通信信号に収容されたセンサＩＤおよびイベント情報等の各情報を、このセンサＩＤを持つセンサ装置ＳＵで監視されている被監視者Ｏｂの監視情報として記憶（記録）し、前記監視情報を表示する。
【００８３】
より具体的には、代表的に、携帯端末装置ＴＡの動作について説明すると、上述したように、電源が投入され、その稼働を始めると、携帯端末装置ＴＡでは、例えば看護師や介護士等の監視者（ユーザ）によるログイン操作が受け付けられ、ＴＡ監視処理部３２２によって、自機宛の通信信号を待ち受ける待受け画面がＴＡ表示部３６に表示される。この待受け画面５１は、例えば、図９に示すように、メニューバーを表示するメニューバー領域５１１と、待ち受け中であることを表すメッセージ（例えば「通知はありません」）およびアイコンを表示する待受けメイン領域５１２と、現在時刻を表示する時刻領域５１３と、今日の年月日曜日を表示する年月日曜日領域５１４と、今、当該携帯端末装置ＴＡにログインしているユーザ名を表示するユーザ名領域５１５とを備える。ログイン操作を受け付けると、携帯端末装置ＴＡは、ＴＡ監視処理部３２２によって、自機の端末ＩＤおよび自機にログインした監視者（ユーザ）の氏名を収容した通信信号（ログイン通知通信信号）を管理サーバ装置ＳＶへ送信する。管理サーバ装置ＳＶは、このログイン通知通信信号を受信すると、ＳＶ監視処理部２２２によって、この受信したログイン通知通信信号に収容された端末ＩＤと監視者の氏名（監視者情報）とを互いに対応付けてＳＶ記憶部２３に記憶する。なお、このログイン通知通信信号の受信によって開始される第４モードでの状況表示については、後述する。
【００８４】
自機宛の通信信号を待ち受け中では、携帯端末装置ＴＡは、ＴＡ制御処理部３２のＴＡ制御部３２１によって、通信信号を受信するまで繰り返し、ＴＡ通信ＩＦ部３１で通信信号を受信したか否かを判定し、通信信号を受信すると、この受信した通信信号の種類を判定する。この判定の結果、携帯端末装置ＴＡは、この受信した通信信号が第２イベント通知通信信号ではない場合には、前記受信した通信信号に応じた適宜な処理を行って本処理を終了し、次の自機宛の通信信号を待ち受ける。一方、前記受信した通信信号が第２イベント通知通信信号である場合（第２イベント通知）には、携帯端末装置ＴＡは、ＴＡ制御処理部３２のＴＡ監視処理部３２２によって、前記受信した第２イベント通知通信信号に収容された、被監視者Ｏｂに対する監視に関する監視情報をＴＡ監視情報記憶部３３１に記憶（記録）し、前記受信した第２イベント通知通信信号に収容された各情報に応じた画面をＴＡ表示部３６に表示する。
【００８５】
より詳しくは、ＴＡ監視処理部３２２は、前記受信した第２イベント通知通信信号に収容された前記イベント情報が前記所定の行動である場合には、例えば図１０に示す監視情報画面５２をＴＡ表示部３６に表示し、一方、前記受信した第２イベント通知通信信号に収容された前記イベント情報が前記ナースコールである場合には、例えば図１１に示すナースコール受付画面５３をＴＡ表示部３６に表示する。
【００８６】
この監視情報画面５２は、被監視者Ｏｂの監視に関する前記監視情報を表示するための画面である。前記監視情報画面５２は、例えば、図１０に示すように、メニューバー領域５１１と、前記受信した第２イベント通知通信信号に収容されたセンサＩＤを持つセンサ装置ＳＵの配設場所および前記センサＩＤを持つ前記センサ装置ＳＵによって監視される被監視者Ｏｂの名前を表示する被監視者名領域５２１と、前記受信した第２イベント通知通信信号の受信時刻（または前記所定の行動の検知時刻）からの経過時間、および、前記受信した第２イベント通知通信信号に収容された前記イベント情報（前記所定の行動の検知結果）を表示する検知情報表示領域５２２と、前記受信した第２イベント通知通信信号に収容された画像（すなわち、前記センサＩＤを持つ前記センサ装置ＳＵによって撮像された対象画像）（ここでは静止画）を表示する画像領域５２３と、「対応する」ボタン５２４と、「話す」ボタン５２５と、「ＬＩＶＥを見る」ボタン５２６とを備える。
【００８７】
被監視者名領域５２１にセンサ装置ＳＵの配設場所および被監視者Ｏｂの名前を表示するために、前記受信した第２イベント通知通信信号に収容されたセンサＩＤを検索キーに、センサ装置ＳＵの配設場所および被監視者Ｏｂの名前がＴＡセンサ情報記憶部３３２から検索され、表示される。検知情報表示領域５２２には、前記受信した第２イベント通知通信信号に収容された前記検知結果（本実施形態では、入床、起床、離床および転倒の各名称）がそのまま表示されても良いが、本実施形態では、前記検知結果を象徴的に表すアイコンで表示されている。このアイコンで表示するために、ＴＡ記憶部３３には、各行動およびその行動を象徴的に表すアイコンが互いに対応付けられて予め記憶される。図１０に示す例では、検知情報表示領域５２２には、起床を象徴的に表す起床アイコンが表示されている。「対応する」ボタン５２４は、監視情報画面５２では、この監視情報画面５２に表示された検知結果に対し例えば救命、看護、介護および介助等の所定の対応（対処、処置、措置）を実施する意思が当該携帯端末装置ＴＡのユーザにある旨を、当該携帯端末装置ＴＡに入力するためのボタンである。「話す」ボタン５２５は、音声通話を要求するためのボタンであって、前記センサＩＤの前記センサ装置ＳＵと当該携帯端末装置ＴＡとをネットワークＮＷを介して通話可能に接続する指示を入力するためのボタンである。「ＬＩＶＥを見る」ボタン５２６は、ライブでの動画を要求するためのボタンであって、前記センサＩＤの前記センサ装置ＳＵによって撮像される動画を表示させる指示を入力するためのボタンである。
【００８８】
前記ナースコール受付画面５３は、ナースコールの受付を表示するための画面である。このナースコール受付画面５３は、例えば、図１１に示すように、メニューバー領域５１１と、被監視者名領域５２１と、検知情報表示領域５２２と、ナースコールを受け付けた旨を表すメッセージ（例えば「ナースコールです」）を表示するナースコール受付通知表示領域５３１と、「対応する」ボタン５２４と、「話す」ボタン５２５とを備える。このナースコール受付画面５３では、検知情報表示領域５２２には、前記受信した第２イベント通知通信信号の受信時刻（または前記ナースコールを受け付けた受付時刻）からの経過時間のみが表示される。なお、ナースコール受付画面５３は、「ＬＩＶＥを見る」ボタン５２６をさらに備えても良い。
【００８９】
このような監視情報画面５２やナースコール受付画面５３の表示中に、携帯端末装置ＴＡは、ＴＡ制御処理部３２によって、入力操作を受け付けるまで繰り返し、ＴＡ入力部３５およびＴＡ表示部３６を備えて成るタッチパネルで入力操作を受け付けたか否かを、判定する。入力操作を受け付けると、携帯端末装置ＴＡは、ＴＡ制御処理部３２によって、入力操作の内容に応じた適宜な処理を実行し、本処理を終了し、そして、次の自機宛の通信信号を待ち受ける。
【００９０】
例えば、携帯端末装置ＴＡは、ＴＡ制御処理部３２によって、前記タッチパネルを構成するＴＡ入力部３５から「対応する」ボタン５２４の入力操作を受け付けると、まず、現在、ＴＡ表示部３６に表示している被監視者Ｏｂの監視情報に、「対応する」を受け付けた旨を付してＴＡ監視情報記憶部３３１に記憶する。より具体的には、ＴＡ制御処理部３２は、ＴＡ監視情報記憶部３３１に記憶されているＴＡ監視情報テーブルＭＴ−ＴＡにおいて、現在、ＴＡ表示部３６に表示している被監視者Ｏｂの監視情報を登録しているレコード（ここでは前記受信した第２イベント通知通信信号に収容されていた監視情報を登録したレコード）の対応フィールド３３１６に、対応の受付を表す対応フラグ「１」を登録する。ＴＡ制御処理部３２は、ＴＡ表示部３６に表示している被監視者Ｏｂの監視情報に対応するセンサＩＤ、イベント情報および「対応する」を受け付けた旨を表す情報（対応有意思情報）を収容した通信信号（第１対応有意思通知通信信号）を管理サーバ装置ＳＶへ送信する。この第１対応有意思通知通信信号を受信した管理サーバ装置ＳＶは、まず、ＳＶ制御処理部２２によって、ＳＶ監視情報記憶部２３１に記憶されているＳＶ監視情報テーブルＭＴ−ＳＶにおいて、前記受信した第１対応有意思通知通信信号に収容されているセンサＩＤおよびイベント情報それぞれをセンサＩＤフィールド２３１１およびイベントフィールド２３１２それぞれに登録し、かつ、対応フィールド２３１６に対応フラグ「０」を登録しているレコードの対応フィールド２３１６に、対応の受付を表す対応フラグ「１」を登録し、次に、前記受信した第１対応有意思通知通信信号に収容されたセンサＩＤ、イベント情報および対応有意思情報を収容した通信信号（対応有意思周知通信信号）を同報通信で端末装置ＳＰ、ＴＡへ送信する。これによって、ＴＡ表示部３６に表示している被監視者Ｏｂの監視情報に対応するセンサＩＤに関し、「対応する」を受け付けた旨が各端末装置ＳＰ、ＴＡ間で同期される。
【００９１】
また例えば、携帯端末装置ＴＡは、ＴＡ制御処理部３２によって、「話す」ボタン５２５の入力操作を受け付けると、通話処理部３２３によって、ＴＡ表示部３６に表示している被監視者Ｏｂを監視するセンサ装置ＳＵへ、音声通話を要求する旨等の情報を収容した通信信号（通話要求通信信号）を送信し、これに応じたセンサ装置ＳＵとネットワークＮＷを介して音声通話可能に接続する。これによって携帯端末装置ＴＡとセンサ装置ＳＵとの間で音声通話が可能となる。なお、携帯端末装置ＴＡは、ＴＡ制御処理部３２によって、音声通話の終了の指示を入力するためのボタンである図略の「終了」ボタンの入力操作を受け付けると、通話処理部３２３によって、ＴＡ表示部３６に表示している被監視者Ｏｂを監視するセンサ装置ＳＵへ、音声通話の終了を要求する旨等の情報を収容した通信信号（通話終了通信信号）を送信する。これによって携帯端末装置ＴＡとセンサ装置ＳＵとの間での音声通話が終了される。
【００９２】
また例えば、携帯端末装置ＴＡは、ＴＡ制御処理部３２によって、「ＬＩＶＥを見る」ボタン５２６の入力操作を受け付けると、ＴＡストリーミング処理部３２４によって、現在、ＴＡ表示部３６に表示している被監視者Ｏｂを監視するセンサ装置ＳＵへ、ライブでの動画の配信を要求する旨等の情報を収容した通信信号（動画配信要求通信信号）を送信し、これに応じたセンサ装置ＳＵとネットワークＮＷを介して動画のダウンロード可能に接続し、前記センサ装置ＳＵからライブでの動画の配信を受け、この配信を受けた動画をストリーミング再生でＴＡ表示部３６に表示する。このライブでの動画を表示する監視情報画面５２では、画像領域５２３に動画が表示され、そして、「ＬＩＶＥを見る」ボタン５２６に代え図略の「ＬＩＶＥ終了」ボタンが表示される。これによって携帯端末装置ＴＡには、ライブでの動画が表示される。前記図略の「ＬＩＶＥ終了」ボタンは、動画の終了を要求するためのボタンであって、前記センサＩＤの前記センサ装置ＳＵによって撮像される動画の配信を終了（停止）させ表示を終了（停止）させる指示を入力するためのボタンである。携帯端末装置ＴＡは、ＴＡ制御処理部３２によって、「ＬＩＶＥ終了」ボタンの入力操作を受け付けると、ＴＡストリーミング処理部３２４によって、現在、ＴＡ表示部３６に表示している被監視者Ｏｂを監視するセンサ装置ＳＵへ、動画配信の終了を要求する旨等の情報を収容した通信信号（動画配信終了通信信号）を送信し、静止画をＴＡ表示部３６に表示する。これによって携帯端末装置ＴＡは、ライブでの動画の表示を終了する。
【００９３】
このような動作によって、被監視者監視システムＭＳは、各センサ装置ＳＵ、管理サーバ装置ＳＶ、固定端末装置ＳＰおよび携帯端末装置ＴＡによって、大略、各被監視者Ｏｂにおける所定の行動を検知し、ナースコールを受け付けて、各被監視者Ｏｂを監視している。
【００９４】
（看介護の目標の設定動作）
看介護目標情報記憶部２３６に記憶される看介護の目標は、ネットワークＮＷを介して端末装置ＳＰ、ＴＡから入力される。より具体的には、看介護の目標の設定を要求するための所定の入力操作を受け付けると、端末装置ＳＰ、ＴＡは、看介護の目標の設定を要求するための通信信号（目標設定要求通信信号）を管理サーバ装置ＳＶに送信する。前記目標設定要求通信信号には、看介護の目標の設定を要求する命令（指示、コマンド）および自機の端末ＩＤが収容される。この目標設定要求通信信号を受信すると、管理サーバ装置ＳＶは、ＳＶ看介護記録処理部２２３によって、看介護の目標を設定するための画面（目標設定画面）のデータ（電子ファイル）を収容した通信信号（目標設定画面通知通信信号）を端末装置ＳＰ、ＴＡを返信する。目標設定画面通知通信信号を受信すると、端末装置ＳＰ、ＴＡは、目標設定画面を表示する。
【００９５】
この目標設定画面５５は、例えば、図１２に示すように、看介護の目標を設定する対象の被監視者Ｏｂが所在する居室ＲＭの名称を入力するための部屋名入力領域５５１と、前記看介護の目標を設定する対象の前記被監視者Ｏｂの氏名を入力するための氏名入力領域５５２と、前記看介護の目標を設定する対象の看介護の種類名を入力するためのケア項目入力領域５５３と、前記設定する看介護の目標を入力するための目標量設定入力領域５５４と、これら部屋名入力領域５５１、氏名入力領域５５２、ケア項目入力領域５５３および目標量設定入力領域５５４に入力されたデータを消去して当該目標設定画面５５を表示する前に表示していた画面に戻る指示を入力するための「キャンセル」ボタン５５６と、これら部屋名入力領域５５１、氏名入力領域５５２、ケア項目入力領域５５３および目標量設定入力領域５５４に入力されたデータを管理サーバ装置ＳＶへ看介護目標情報として送信する指示を入力するための「登録」ボタン５５７とを備える。看介護の種類名は、ケア項目入力領域５５３に直接入力されて良く、またケア項目入力領域５５３に表示されるプルダウンメニューから選択されて入力されて良い。看介護の目標は、目標量設定入力領域５５４に直接入力されて良く、また目標量設定入力領域５５４に表示されるプルダウンメニューから選択されて入力されて良い。なお、目標設定画面５５は、複数の目標が入力できるように、ケア項目入力領域５５３および目標量設定入力領域５５４を、対で、複数備えても良い。
【００９６】
監視者（ユーザ）は、端末装置ＳＰ、ＴＡに表示された目標設定画面５５を用いて対象の被監視者Ｏｂに対する看介護の目標を端末装置ＳＰ、ＴＡに入力し、「登録」ボタン５５７を入力操作する。例えば、監視者（ユーザ）は、部屋名入力領域５５１に「１０１号室」を入力し、氏名入力領域５５２に「Ａ」を入力し、ケア項目入力領域５５３に「食事ケア」を入力し、目標量設定入力領域５５４に「４０」を入力し、そして、「登録」ボタン５５７を入力操作する。
【００９７】
目標設定画面５５における「登録」ボタン５５７の入力操作を受け付けると、端末装置ＳＰ、ＴＡは、目標設定画面５５を用いて入力された部屋名、被監視者名、看介護の種類名および看介護の目標を看介護目標情報として収容した通信信号（設定目標通知通信信号）を管理サーバ装置ＳＶへ送信する。設定目標通知通信信号を受信すると、管理サーバ装置ＳＶは、ＳＶ看介護記録処理部２２３によって、この受信した設定目標通知通信信号に収容された看介護目標情報を看介護目標情報記憶部２３６に記憶する。より具体的には、ＳＶ看介護記録処理部２２３は、看介護目標情報記憶部２３６に記憶された看介護目標情報テーブルＰＴの被監視者名フィールド２３６１に、前記受信した設定目標通知通信信号に収容された被監視者名を登録したレコードを選定（検索）する。そして、ＳＶ看介護記録処理部２２３は、この選定したレコードにおける、前記受信した設定目標通知通信信号に収容された看介護の種類名に対応するフィールド２３６２〜２３６４に、前記受信した設定目標通知通信信号に収容された看介護の目標を登録する。上述の例では、ＳＶ看介護記録処理部２２３は、看介護目標情報記憶部２３６に記憶された看介護目標情報テーブルＰＴの被監視者名フィールド２３６１に、前記受信した設定目標通知通信信号に被監視者名として収容された「Ａ」を登録したレコードを選定（検索）する。そして、ＳＶ看介護記録処理部２２３は、この選定したレコードにおける、前記受信した設定目標通知通信信号に看介護の種類名として収容された「食事ケア」に対応するフィールド２３６２に、前記受信した設定目標通知通信信号に看介護の目標として収容された「４０」を登録する。なお、被監視者名フィールド２３６１に、前記受信した設定目標通知通信信号に収容された被監視者名を登録したレコードが看介護目標情報記憶部２３６に記憶された看介護目標情報テーブルＰＴに無い場合には、ＳＶ看介護記録処理部２２３は、看介護目標情報記憶部２３６に記憶された看介護目標情報テーブルＰＴに、新たなレコードを追加し、この追加したレコードの被監視者名フィールド２３６１に、前記受信した設定目標通知通信信号に収容された被監視者名を登録し、この追加したレコードにおける、前記受信した設定目標通知通信信号に収容された看介護の種類名に対応するフィールド２３６２〜２３６４に、前記受信した設定目標通知通信信号に収容された看介護の目標を登録する。これによって、前記受信した設定目標通知通信信号に収容された看介護目標情報が看介護目標情報記憶部２３６に記憶される。
【００９８】
なお、本実施形態では、ＳＶ通信ＩＦ部２１は、前記看介護目標情報を取得する第２取得部の一例に相当する。また、管理サーバ装置ＳＶがＳＶ入力部２４をさらに備える場合には、前記看介護目標情報は、ＳＶ入力部２４から入力されても良い。この場合、ＳＶ入力部２４は、前記取得部の他の一例に相当する。
【００９９】
（第１モードの動作）
第１モードでは、上述したように、積算結果は、看介護記録における記録書式の種類を選択するための書式選択画面に表示されるので、看介護記録を記録する処理と合わせて第１モードの動作を説明する。
【０１００】
第１モードでは、図１３において、携帯端末装置ＴＡは、前記タッチパネルを構成するＴＡ入力部３５から、待受け画面５１、監視情報画面５２およびナースコール受付画面５３等におけるメニューバー領域５１１の対象者選択ボタン５１１１の入力操作を受け付けると、ＴＡ看介護記録処理部３２５によって、対象者の選択を要求するための通信信号（対象者選択要求通信信号）を管理サーバ装置ＳＶへ送信する（Ｃ１１）。前記対象者選択要求通信信号には、対象者の選択を要求する命令（指示、コマンド、対象者選択要求命令）および自機の端末ＩＤが収容される。前記対象者選択ボタン５１１１は、対象者選択画面６１を表示する指示を、当該携帯端末装置ＴＡに入力するためのボタンである。
【０１０１】
携帯端末装置ＴＡから対象者選択要求通信信号を受信すると、管理サーバ装置ＳＶは、ＳＶ制御処理部２２によって、看介護記録の対象者として選択可能な被監視者Ｏｂを表示し、看介護記録の対象者（被監視者Ｏｂ）を選択するための画面（対象者選択画面）のデータ（電子ファイル）を収容した通信信号（選択可能対象者通知通信信号）を前記携帯端末装置ＴＡへ返信する（Ｃ１２）。
【０１０２】
前記対象者選択画面６１は、例えば、図１８に示すように、メニューバー領域５１１と、選択可能な１または複数の対象者を一覧で表示する対象者表示領域６１１（６１１−１〜６１１−５）と、「確定」ボタン６１２とを備える。対象者表示領域６１１に、選択可能な対象者を一覧で表示するために、ＳＶ制御処理部２２は、ＳＶセンサ情報記憶部２３３に記憶されたＳＶセンサ情報テーブルＳＴ−ＳＶにおける被監視者名フィールド３３３３および配設場所フィールド３３３２それぞれに登録されている被監視者名および配設場所それぞれを各レコードから取り出し、配設場所および被監視者名をセット（組）で、対象者表示領域６１１に、当該対象者選択画面６１を表示する携帯端末装置ＴＡのＴＡ表示部３６を正面視した場合に上から下へ順に所定の基準でソートされて一覧で表示されるように、配置する。ソートの基準は、任意であり、例えば、被監視者名の５０音順（アルファベット順）や、配設場所の部屋番号順等である。図１８に示す例では、配設場所および被監視者名の各セットは、配設場所の部屋番号順でソートされている。そして、この対象者選択画面６１が携帯端末装置ＴＡのＴＡ表示部３６に表示された場合に、対象者表示領域６１１（６１１−１〜６１１−５）は、１人の対象者（被監視者Ｏｂ）を入力するために用いられ、監視者（携帯端末装置ＴＡのユーザ）によって選択された対象者を、当該携帯端末装置ＴＡに入力するためのボタン（対象者選択ボタン）でもある。「確定」ボタン６１２は、対象者表示領域６１１から入力された対象者を管理サーバ装置ＳＶへ通知するための通信信号（選択対象者通知通信信号）を管理サーバ装置ＳＶへ送信する指示を、当該携帯端末装置ＴＡに入力するためのボタンである。
【０１０３】
管理サーバ装置ＳＶから選択可能対象者通知通信信号を受信すると、携帯端末装置ＴＡは、ＴＡ制御処理部３２によって、対象者選択画面６１をＴＡ表示部３６に表示する。なお、ＴＡ表示部３６の表示領域より、対象者表示領域６１１が広く、全ての対象者表示領域６１１がＴＡ表示部３６の表示領域に表示できない場合には、例えばフリック（ｆｌｉｃｋ  ｉｎｐｕｔ）によってＴＡ表示部３６の表示領域に表示される対象者表示領域６１１の領域部分が変更（例えばスクロール等）され、ＴＡ表示部３６の表示領域に表示されていない対象者表示領域６１１の他の領域部分が表示できるようになっている。
【０１０４】
このような対象者選択画面６１がＴＡ表示部３６に表示されている場合に、携帯端末装置ＴＡのユーザ（監視者）は、１人の対象者を選択するために、いずれか１つの対象者表示領域６１１を入力操作し、「確定」ボタン６１２を入力操作する。例えば、監視者は、「１０１号室Ａ様」を表示する対象者表示領域（対象者選択ボタン）６１１−１を入力操作し、「確定」ボタン６１２を入力操作する。
【０１０５】
前記タッチパネルを構成するＴＡ入力部３５から、対象者表示領域６１１の入力操作を受け付けた後に、「確定」ボタン６１２の入力操作を受け付けると、携帯端末装置ＴＡは、ＴＡ制御処理部３２によって、対象者表示領域６１１から入力された１人の対象者（被監視者Ｏｂ）を管理サーバ装置ＳＶへ通知するための通信信号（選択対象者通知通信信号）を管理サーバ装置ＳＶへ送信する（Ｃ１３）。この選択対象者通知通信信号には、対象者表示領域６１１−１〜６１１−５の入力操作によって入力された１人の対象者の被監視者名および自機の端末ＩＤが収容される。例えば、携帯端末装置ＴＡの端末ＩＤがＴＡ−１である場合において、上述の例では、選択対象者通知通信信号には、「Ａ」および「ＴＡ−１」が収容される。
【０１０６】
携帯端末装置ＴＡから選択対象者通知通信信号を受信すると、管理サーバ装置ＳＶは、ＳＶ制御処理部２２によって、前記選択対象者通知通信信号に収容された被監視者名を、前記選択対象者通知通信信号の送信元である携帯端末装置ＴＡの端末ＩＤと対応付けてＳＶ記憶部２３に記憶する。例えば、上述の例では、「ＴＡ−１」と「Ａ」とが互いに対応付けられてＳＶ記憶部２３に記憶される。そして、管理サーバ装置ＳＶは、ＳＶ制御処理部２２によって、選択可能なサブメニューを表示し、サブメニューを選択するための画面（サブメニュー画面）のデータ（電子ファイル）を収容した通信信号（サブメニュー通知通信信号）を前記携帯端末装置ＴＡへ返信する（Ｃ１４）。
【０１０７】
前記サブメニュー画面６２は、例えば図１９に示すように、メニューバー領域５１１と、対象者選択画面６１で選択された対象者名を表示する対象者名表示領域６２１と、選択可能な１または複数のサブメニューをその名称で一覧で表示するサブメニュー表示領域６２２（６２２−１〜６２２−３）とを備える。図１９に示す例では、図１８に示す対象者選択画面６１で「１０１号室Ａ」を表示する領域（対象者表示領域、対象者選択ボタン）６１１−１が携帯端末装置ＴＡで監視者によって入力操作され、対象者名表示領域６２１には、「１０１号室Ａ」が表示されている。サブメニュー表示領域６２２は、図１９に示す例では、サブメニューとして、「ケア実施入力」ボタン６２２−１と、「話す」ボタン６２２−２と、「一時オフする」ボタン６２２−３とを備える。「ケア実施入力」ボタン６１３は、端末装置ＳＰ、ＴＡから監視者によって１人の対象者（被監視者Ｏｂ）に対する看介護記録を管理サーバ装置ＳＶに記録する指示を、当該携帯端末装置ＴＡに入力するためのボタンである。「話す」ボタン６２２−２は、上述の「話す」ボタン５２５と同様に、音声通話を要求するためのボタンであって、対象者名表示領域６２１に表示されている被監視者Ｏｂを監視するセンサ装置ＳＵと当該携帯端末装置ＴＡとをネットワークＮＷを介して通話可能に接続する指示を入力するためのボタンである。「一時オフする」ボタン６２２−３は、対象者名表示領域６２１に表示されている被監視者Ｏｂに対するセンサ装置ＳＵによる監視を一時的に止める指示を入力するためのボタンである。なお、前記対象者名表示領域６２１は、サブメニュー画面６２が携帯端末装置ＴＡのＴＡ表示部３６に表示された場合に、対象者選択画面６１を表示する指示を、当該携帯端末装置ＴＡに入力するためのボタンでもあっても良い。したがって、この場合では、監視者は、対象者名表示領域６２１を入力操作することで、対象者選択画面６１から対象者を変更できる。なお、このサブメニュー画面６２は、待受け画面５１、監視情報画面５２およびナースコール受付画面５３等におけるメニューバー領域５１１のサブメニューボタン５１１２の入力操作によっても表示される。また、このサブメニュー画面６２のサブメニュー表示領域６２２は、目標設定画面５５を表示する指示を、当該携帯端末装置ＴＡに入力するためのボタンをさらに備えても良い。
【０１０８】
管理サーバ装置ＳＶからサブメニュー通知通信信号を受信すると、携帯端末装置ＴＡは、ＴＡ制御処理部３２によって、サブメニュー画面６２をＴＡ表示部３６に表示する。
【０１０９】
このようなサブメニュー画面６２がＴＡ表示部３６に表示されている場合に、第１モードでは、携帯端末装置ＴＡのユーザ（監視者）は、１人の対象者に対する看介護記録を実施するために、「ケア実施入力」ボタン６２２−１を入力操作する。
【０１１０】
「ケア実施入力」ボタン６２２−１の入力操作を受け付けると、携帯端末装置ＴＡは、ＴＡ看介護記録処理部３２５によって、看介護の種類（看介護記録の種類、記録書式の種類）の選択を要求するための通信信号（種類選択要求通信信号）を管理サーバ装置ＳＶへ送信する（Ｃ１５）。前記種類選択要求通信信号には、看介護の種類（看介護記録の種類、記録書式の種類）の選択を要求する命令（指示、コマンド、種類選択要求命令）および自機の端末ＩＤが収容される。
【０１１１】
携帯端末装置ＴＡから種類選択要求通信信号を受信すると、管理サーバ装置ＳＶは、ＳＶ看介護記録処理部２２３によって、看介護の種類に応じて予め用意され選択可能な記録書式の種類を表示し、１人の対象者のために１つの記録書式の種類を選択するための画面（書式選択画面）のデータ（電子ファイル）を作成し、この作成した書式選択画面の電子ファイルを収容した通信信号（選択可能種類通知通信信号）を前記携帯端末装置ＴＡへ返信する（Ｃ１６）。
【０１１２】
より具体的には、図１４において、ＳＶ看介護記録処理部２２３は、看介護記録情報記憶部２３５に記憶された看介護記録から、所定の期間ついて、所定の看介護の種類、および、処理Ｃ１３で通知されＳＶ記憶部２３に記憶した対象者（被監視者Ｏｂ）に対応する看介護記録（看介護の内容）を取得する（Ｓ１１）。看介護記録が取得される前記所定の看介護の種類は、全種類であって良いが、本実施形態では、看介護の目標が予め設定されている看介護の種類であり、例えば、食事ケア、水分ケアおよび服薬ケアである。前記所定の期間は、上述したように、前記看介護の種類に応じて予め設定されている積算開始時点から、当該積算時点（第１モードでは現在時刻の現時点）までである。例えば、食事ケアおよび水分ケアでは、前記積算開始時点は、看介護の１日の始まりである例えば６時に設定されており、食事ケアおよび水分ケアそれぞれの前記処理の期間は、現在の年月日における６時から現在時刻までとなる。また例えば、服薬（投薬）ケアでは、前記積算開始時点は、前記複数日における初日の０時に設定されており、服薬（投薬）ケアの前記処理の期間は、前記複数日における初日の０時から現在時刻までとなる。より詳しくは、ＳＶ看介護記録処理部２２３は、時計部２２４から現在の年月日時分を取得し、看介護記録情報記憶部２３５に記憶された看介護記録情報テーブルＲＴから、処理Ｃ１３で通知されＳＶ記憶部２３に記憶した対象者（被監視者Ｏｂ）に対応する看介護記録情報セットＲＳを選定（検索）する。例えば、上述の例では、ＳＶ看介護記録処理部２２３は、看介護記録情報テーブルＲＴから、「Ａ」に対応する看介護記録情報セットＲＳ−１を選定（検索）する。次に、ＳＶ看介護記録処理部２２３は、この選定した看介護記録情報セットＲＳから、食事ケア、水分ケアおよび服薬（投薬）ケアそれぞれ対応する各看介護記録サブテーブルＲＳＴを選定（検索）する。そして、ＳＶ看介護記録処理部２２３は、食事ケアに対応する看介護記録サブテーブルＲＳＴから、現在の年月日における６時から現在時刻までの食事ケアの内容（本実施形態では主食量および副食量）を取得し、水分ケアに対応する看介護記録サブテーブルＲＳＴから、現在の年月日における６時から現在時刻までの水分ケアの内容（本実施形態では水分摂取量）を取得し、服薬（投薬）ケアに対応する看介護記録サブテーブルＲＳＴから、現在の年月日に対し前記複数日における初日の０時から現在時刻までの服薬（投薬）ケアの内容（本実施形態では服薬量（投薬量）を取得する。
【０１１３】
次に、ＳＶ看介護記録処理部２２３は、処理Ｓ１１で取得した看介護記録に基づいて、所定の期間について、看介護の種類および被監視者Ｏｂに対応する看介護の内容の積算を求める（Ｓ１２）。より具体的には、ＳＶ看介護記録処理部２２３は、処理Ｓ１１で取得した食事ケアの内容を積算し（本実施形態では主食量および副食量の総和）、処理Ｓ１１で取得した水分ケアの内容を積算し（本実施形態では水分摂取量の総和）、そして、処理Ｓ１１で取得した服薬（投薬）ケアの内容を積算する（本実施形態では服薬量（投薬量）の総和）。
【０１１４】
次に、ＳＶ看介護記録処理部２２３は、前記求めた積算結果（本実施形態では、食事ケアの第１積算結果、水分ケアの第２積算結果および服薬（投薬）ケアの第３積算結果）の達成度合いを求める（Ｓ１３）。より具体的には、ＳＶ看介護記録処理部２２３は、看介護目標情報記憶部２３６に記憶された看介護目標情報から、前記求めた積算結果に対応する看介護の種類および被監視者Ｏｂにさらに対応する看介護の目標を取り出し、前記取り出した看介護の目標に対する前記求めた積算結果の達成度合い（例えば百分率で表した達成率、百分率で表した未達率および未達量等）を求める。より詳しくは、ＳＶ看介護記録処理部２２３は、看介護目標情報記憶部２３６に記憶された看介護目標情報テーブルＰＴから、その被監視者名フィールド２３６１に、処理Ｃ１３で通知されＳＶ記憶部２３に記憶した対象者（被監視者Ｏｂ）の被監視者名を登録するレコードを選定（検索）し、この選定したレコードにおける食事ケアフィールド２３６２，水分ケアフィールド２３６３および服薬（投薬）ケアフィールド２３６４それぞれから、看介護の各目標を取り出す。例えば、上述の例では、被監視者名フィールド２３６１に「Ａ」を登録するレコードが選定され、このレコードの食事ケアフィールド２３６２，水分ケアフィールド２３６３および服薬（投薬）ケアフィールド２３６４それぞれから、食事ケアの目標「４０／日」、水分ケアの目標「４００ｃｃ／日」および服薬（投薬）ケアの目標「４錠／３日」それぞれが取り出される。そして、ＳＶ看介護記録処理部２２３は、食事ケアの目標に対する積算結果の達成率を求め、水分ケアの目標に対する積算結果の達成率を求め、服薬（投薬）ケアの目標に対する積算結果の達成率を求める。例えば、水分ケアの積算結果が１００ｃｃである場合には、達成率は、（１００／４００）×１００＝２５％と計算される。
【０１１５】
次に、ＳＶ看介護記録処理部２２３は、看介護記録情報記憶部２３５に記憶された看介護記録に基づいて、前記求めた積算結果に対応する看介護の種類および被監視者Ｏｂにさらに対応する看介護の前回の実施時点から、前記求めた積算結果の積算時点（第１モードでは現時点）までの経過時間（第Ａ経過時間）を求める（Ｓ１４）。より具体的には、ＳＶ看介護記録処理部２２３は、処理Ｓ１１で取得した看介護記録に基づいて、食事ケアの前回の実施時点（実施時刻）から、現時点（現在時刻）までの第Ａ１経過時間を求め、水分ケアの前回の実施時点から、現時点までの第Ａ２経過時間を求め、そして、服薬（投薬）ケアの前回の実施時点から、現時点までの第Ａ３経過時間を求める。
【０１１６】
次に、ＳＶ看介護記録処理部２２３は、処理Ｓ１２で求めた積算結果に対応する看介護の種類ごとに、処理Ｓ１２で積算結果を求めた際の前記所定の期間における積算開始時点から当該積算時点までの経過時間（第Ｂ経過時間）を求め、処理Ｓ１３で求めた達成度合いおよび前記求めた第Ｂ経過時間が所定の条件を満たすか否かを判定し、その判定結果を、看介護の種類、被監視者名および端末ＩＤに対応付けてＳＶ記憶部２３に記憶する（Ｓ１５）。前記所定の条件は、例えば、上述した警告判定と同様の考え方に基づいて設定され、達成度合いに対する前記所定の条件は、達成率が所定の閾値（表示態様判定閾値）（例えば２５％や３０％や３５％等）以下であり、経過時間に対する前記所定の条件は、起きている時間帯に対する所定の第１割合（例えば５０％や６０％等）の経過時間（表示態様判定時間）以上である。例えば、前記表示態様判定閾値が３０％であって前記表示態様判定時間が７時間に設定されている場合に、処理Ｓ１３で求めた達成率が２５％であって上述で求めた第Ｂ経過時間が８時間である場合には、ＳＶ看介護記録処理部２２３は、前記所定の条件を満たすと判定する。
【０１１７】
次に、ＳＶ看介護記録処理部２２３は、これら処理Ｓ１１ないし処理Ｓ１５の各処理結果に基づいて、所定のマークアップ言語を用いて書式選択画面のデータ（電子ファイル）を作成する（Ｓ１６）。
【０１１８】
前記書式選択画面６３は、例えば、図２０に示すように、メニューバー領域５１１と、対象者選択画面６１で選択された対象者名（処理Ｃ１３で通知されＳＶ記憶部２３に記憶した対象者（被監視者Ｏｂ）の被監視者名）を表示する対象者名表示領域６２１と、１人の対象者のために、選択可能な１または複数の記録書式の種類をその名称で一覧で表示する書式表示領域６３１（６３１−１〜６３１−４）とを備える。そして、この記録書式名を表示する個々の領域６３１−１〜６３１−４は、書式選択画面６３が携帯端末装置ＴＡのＴＡ表示部３６に表示された場合に、監視者によって選択された記録書式の種類（図２０に示す例では記録書式名）を、当該携帯端末装置ＴＡに入力するためのボタン（種類選択ボタン）でもある。さらに、本実施形態では、記録書式名を表示する個々の領域６３１−１〜６３１−４は、積算結果を表示する積算結果表示領域６３１１（６３１１−１、６３１１−２）、達成率を表示する達成率表示領域６３１２（６３１２−１、６３１２−２）、および、看介護の前回の実施時刻からの第Ａ経過時間を表示する経過時間表示領域６３１３（６３１３−１、６３１３−２）を備え、これら積算結果表示領域６３１１、達成率表示領域６３１２および経過時間表示領域６３１３それぞれには、記録書式名が示す看介護の種類に応じた、積算結果、達成率および第Ａ経過時間が表示される。図２０に示す例では、書式表示領域６３１は、食事ケア用の記録書式名として「食事ケア」を表示する「食事ケア」領域６３１−１と、水分ケア用の記録書式名として「水分ケア」を表示する「水分ケア」領域６３１−２と、排泄ケア用の記録書式名として「排泄ケア」を表示する「排泄ケア」領域６３１−３と、服薬（投薬）ケア用の記録書式名として「服薬（投薬）ケア」を表示する「服薬（投薬）ケア」領域６３１−４とを備える。そして、書式選択画面６３が携帯端末装置ＴＡのＴＡ表示部３６に表示された場合に、前記「食事ケア」領域６３１−１は、食事ケア用の記録書式の選択を、当該携帯端末装置ＴＡに入力するためのボタンであり、前記「水分ケア」領域６３１−２は、水分ケア用の記録書式の選択を、当該携帯端末装置ＴＡに入力するためのボタンであり、前記「排泄ケア」領域６３１−３は、排泄ケア用の記録書式の選択を、当該携帯端末装置ＴＡに入力するためのボタンであり、そして、前記「服薬（投薬）ケア」領域６３１−４は、服薬（投薬）ケア用の記録書式の選択を、当該携帯端末装置ＴＡに入力するためのボタンである。さらに、本実施形態では、「食事ケア」領域６３１−１は、食事ケアの内容に対する積算結果を表示する積算結果表示領域６３１１−１、その達成率を表示する達成率表示領域６３１２−１、および、食事ケアの前回の実施時刻からの第Ａ経過時間を表示する経過時間表示領域６３１３−１を備え、これら積算結果表示領域６３１１−１、達成率表示領域６３１２−１および経過時間表示領域６３１３−１それぞれには、食事ケアに対する、処理Ｓ１２で求められた積算結果、処理Ｓ１３で求められた達成率および処理Ｓ１４で求められた第Ａ経過時間が表示される。「水分ケア」領域６３１−２は、水分ケアの内容に対する積算結果を表示する積算結果表示領域６３１１−２、その達成率を表示する達成率表示領域６３１２−２、および、水分ケアの前回の実施時刻からの第Ａ経過時間を表示する経過時間表示領域６３１３−２を備え、これら積算結果表示領域６３１１−２、達成率表示領域６３１２−２および経過時間表示領域６３１３−２それぞれには、水分ケアに対する、処理Ｓ１２で求められた積算結果、処理Ｓ１３で求められた達成率および処理Ｓ１４で求められた第Ａ経過時間が表示される。達成率表示領域６３１２には、処理Ｓ１３で求められた達成率がそのまま数値で表示されても良いが、本実施形態では、グラフ、例えば円グラフで表示されている。なお、前記グラフは、棒グラフであっても良い。さらに、本実施形態では、前記積算結果は、処理Ｓ１５の判定結果に基づいて、処理Ｓ１２で求めた積算結果の達成度合いおよび第Ｂ経過時間が所定の条件を満たすか否かに応じた互いに異なる表示態様で、処理Ｓ１２で求めた積算結果が表示される。例えば、前記所定の条件を満たさない場合には、処理Ｓ１２で求めた積算結果は、常時点灯状態で表示され、前記所定の条件を満たす場合には、処理Ｓ１２で求めた積算結果は、点滅状態で表示される。図２０に示す例では、「水分ケア」領域６３１−２の積算結果表示領域６３１１−２に表示された「１００ｃｃ」が点滅表示されている。図２０では、放射状に配置された複数の短線によって、「１００ｃｃ」が点滅していることを図示している。後述の図２５も同様である。なお、前記所定の条件を満たさない場合には、処理Ｓ１２で求めた積算結果は、緑色や青色等で表示され、前記所定の条件を満たす場合には、処理Ｓ１２で求めた積算結果は、黄色や赤色等で表示されても良い。
【０１１９】
そして、次に、ＳＶ看介護記録処理部２２３は、処理Ｓ１６で生成した書式選択画面のデータ（電子ファイル）を収容した選択可能種類通知通信信号を前記携帯端末装置ＴＡへ返信する（Ｓ１７）。
【０１２０】
図１３に戻って、管理サーバ装置ＳＶから選択可能種類通知通信信号を受信すると、携帯端末装置ＴＡは、ＴＡ看介護記録処理部３２５によって、書式選択画面６３をＴＡ表示部３６に表示する。なお、ＴＡ表示部３６の表示領域より、書式表示領域６３１が広く、全ての書式表示領域６３１がＴＡ表示部３６の表示領域に表示できない場合には、例えばフリック（ｆｌｉｃｋ  ｉｎｐｕｔ）によってＴＡ表示部３６の表示領域に表示される書式表示領域６３１の領域部分が変更（例えばスクロール等）され、ＴＡ表示部３６の表示領域に表示されていない書式表示領域６３１の他の領域部分が表示できるようになっている。
【０１２１】
前記タッチパネルを構成するＴＡ入力部３５から、記録書式名を表示する領域（種類選択ボタン）６３１（６３１−１〜６３１−４）の入力操作を受け付けて記録書式名の選択を受け付けると、携帯端末装置ＴＡは、ＴＡ看介護記録処理部３２５によって、１人の被監視者に対して入力する看介護記録における記録書類名を通知するための通信信号（選択種類通知通信信号）を管理サーバ装置ＳＶへ送信する（Ｃ１７）。前記選択種類通知通信信号には、前記選択された記録書式名および自機の端末ＩＤが収容される。
【０１２２】
携帯端末装置ＴＡから選択種類通知通信信号を受信すると、管理サーバ装置ＳＶは、ＳＶ看介護記録処理部２２３によって、この受信した選択種類通知通信信号に収容された記録書式名に対応する記録書式の電子ファイルを書式情報記憶部２３４から取り出し、この取り出した記録書式の電子ファイルを収容した、記録書式を通知するための通信信号（書式通知信通信信号）を、前記携帯端末装置ＴＡへ返信する（Ｃ１８）。管理サーバ装置ＳＶから書式通知通信信号を受信すると、携帯端末装置ＴＡは、ＴＡ看介護記録処理部３２５によって、記録書式画面６４をＴＡ表示部３６に表示する。
【０１２３】
例えば、処理Ｃ１７で「食事ケア」を表示する領域（種類選択ボタン）６３１−１が入力操作されると、携帯端末装置ＴＡは、ＴＡ看介護記録処理部３２５によって、記録書式名として「食事ケア」を収容した選択種類通知通信信号を管理サーバ装置ＳＶへ送信し、その返信として、食事ケア用の記録書式の電子ファイルを収容した書式通知信通信信号を受信し、例えば、図２１に示す食事ケア用記録書式画面６４ａをＴＡ表示部３６に表示する。
【０１２４】
この食事ケア用記録書式画面６４ａは、食事ケア用の記録書式を表示する画面であって、実施した食事ケアの内容を看介護記録として入力するための画面である。前記食事ケア用記録書式画面６４ａは、例えば、図２１に示すように、メニューバー領域５１１と、対象者名を表示する対象者名表示領域６２１と、看介護の内容として入力すべき入力項目を表示して前記入力項目に応じた看介護の内容を看介護記録として入力する看介護記録入力領域６４１ａと、この看介護記録を他の端末装置ＳＰ、ＴＡから参照可能とするか否かの設定を入力する共有化チェックボックス（□）６４２と、「送信する」ボタン６４３とを備える。
【０１２５】
食事ケア用の記録書式では、例えば、本実施形態では、前記入力項目として主食の摂取量、副食の摂取量、メモおよびケア実施時間であり、これらを入力するために、看介護記録入力領域６４１ａは、主食量を入力するための主食量入力領域６４１ａ−１と、副食量を入力するための副食量入力領域６４１ａ−２と、メモを入力するための自由記述入力領域６４１ａ−３と、看介護を実施した時刻を入力するためのケア実施時間入力領域６４１ａ−４とを備える。看介護記録入力領域６４１ａ（６４１ａ−１〜６４１ａ−４）には、前記タッチパネルを構成するＴＡ入力部３５の入力操作によって、看介護の内容（図２１に示す例では食事ケアの内容）が入力される。共有化チェックボックス６４２では、前記タッチパネルを構成するＴＡ入力部３５から、チェックの入力操作を受け付けると、共有化チェックボックス６４２内に「レ」が表示され、記録書式画面６４（図２１に示す例では当該食事ケア用記録書式画面６４ａ）に入力された内容を他の端末装置ＳＰ、ＴＡから参照できるように設定する指示が入力される。一方、前記チェックの入力操作を受け付けないと、共有化チェックボックス６４２内は、空欄で表示され、記録書式画面６４（図２１に示す例では当該食事ケア用記録書式画面６４ａ）に入力された内容を他の端末装置ＳＰ、ＴＡから参照できないように設定する指示が入力される。「送信する」ボタン６４３は、記録書式画面６４（図２１に示す例では当該食事ケア用記録書式画面６４ａ）に入力された内容（図２１に示す例では食事ケアの内容）を管理サーバ装置ＳＶへ送信する指示を入力するためのボタンである。
【０１２６】
また例えば、処理Ｃ１７で「水分ケア」を表示する領域（種類選択ボタン）６３１−２が入力操作されると、携帯端末装置ＴＡは、ＴＡ看介護記録処理部３２５によって、記録書式名として「水分ケア」を収容した選択種類通知通信信号を管理サーバ装置ＳＶへ送信し、その返信として、水分ケア用の記録書式の電子ファイルを収容した書式通知信通信信号を受信し、例えば、図２２に示す水分ケア用記録書式画面６４ｂ（６４ｂ−１〜６４ｂ−３）をＴＡ表示部３６に表示する。
【０１２７】
この水分ケア用記録書式画面６４ｂは、水分ケア用の記録書式を表示する画面であって、実施した水分ケアの内容を看介護記録として入力するための画面である。前記水分ケア用記録書式画面６４ｂは、例えば、図２２に示すように、摂取した水分の種類を看介護記録における１つの入力項目として入力するための水分種類画面６４ｂ−１（図２２Ａ）と、摂取した水分の量を看介護記録における１つの他の入力項目として入力するための水分量画面６４ｂ−２（図２２Ｂ）と、水分ケアを実施した時刻を看介護記録における１つの他の入力項目として入力するための実施時刻画面６４ｂ−３（図２２Ｃ）とを備える。
【０１２８】
水分種類画面６４ｂ−１は、図２２Ａに示すように、選択可能な１または複数の水分の種類をその名称で一覧で表示する水分種類選択領域６４１ｂ−１（６４１ｂ−１１〜６４１ｂ−１８）と、「戻る」ボタン６４４とを備える。図２２Ａに示す例では、水分種類選択領域６４１ｂ−１は、未入力を選択して指定するための「未入力」選択領域６４１ｂ−１１と、水分の種類として水を選択して指定するための「水」選択領域６４１ｂ−１２と、水分の種類としてお茶を選択して指定するための「お茶」選択領域６４１ｂ−１３と、水分の種類としてコーヒーを選択して指定するための「コーヒー」選択領域６４１ｂ−１４と、水分の種類として牛乳を選択して指定するための「牛乳」選択領域６４１ｂ−１５と、水分の種類としてジュースを選択して指定するための「ジュース」選択領域６４１ｂ−１６と、水分の種類として補水ゼリーを選択して指定するための「補水ゼリー」選択領域６４１ｂ−１７と、水分の種類としてその他を選択して指定するための「その他」選択領域６４１ｂ−１８とを備える。そして、これら水分種類選択領域６４１ｂ−１における水分の各種類名を表示する各領域６４１ｂ−１１〜６４１ｂ−１８それぞれには、複数の種類名の中から１個の種類名を指定して入力するためのラジオボタン（○）が備えられている。前記タッチパネルを構成するＴＡ入力部３５から、入力操作（例えば「タップ」）を受け付けると、ラジオボタン内に「●」が表示され、看介護の内容（図２２Ａに示す例では水分ケアの水分の種類名）が入力される。図２２Ａに示す例では、「コーヒー」選択領域６４１ｂ−１４のラジオボタンがチェックされており、水分の種類名としてコーヒーが指定されて携帯端末装置ＴＡに入力される。「戻る」ボタン７４４は、この表示画面（図２２Ａに示す例では水分種類画面６４ｂ−１）から１つ前に表示していた画面へ戻る指示を入力するためのボタンである。そして、分種類選択領域６４１ｂ−１における水分の各種類名を表示する各領域６４１ｂ−１１〜６４１ｂ−１８のうちのラジオボタン内に「●」が表示された領域６４１ｂ−１１〜６４１ｂ−１８がさらに入力操作（例えば「タップ」）されると、図２２Ａに示す例では水分種類画面６４ｂ−１から、図２２Ｂに示す水分量画面６４ｂ−２へＴＡ表示部３６の表示が遷移する。
【０１２９】
水分量画面６４ｂ−２は、図２２Ｂに示すように、選択可能な１または複数の水分量を一覧で表示する水分量選択領域６４１ｂ−２（６４１ｂ−２１〜６４１ｂ−２８）と、「戻る」ボタン６４４とを備える。そして、水分量選択領域６４１ｂ−２における各水分量を表示する各領域６４１ｂ−２１〜６４１ｂ−２８それぞれには、複数の水分量の中から１個の水分量を指定して入力するためのラジオボタン（○）が備えられている。図２２Ｂに示す例では、「１５０」選択領域６４１ｂ−２４のラジオボタンがチェックされており、水分量として１５０ｃｃが指定されて携帯端末装置ＴＡに入力される。そして、水分量選択領域６４１ｂ−２における水分量を表示する各領域６４１ｂ−２１〜６４１ｂ−２８のうちのラジオボタン内に「●」が表示された領域６４１ｂ−２１〜６４１ｂ−２８がさらに入力操作（例えば「タップ」）されると、図２２Ｂに示す例では水分分量画面６４ｂ−２から、図２２Ｃに示す実施時刻画面６４ｂ−３へＴＡ表示部３６の表示が遷移する。
【０１３０】
実施時刻画面６４ｂ−３は、図２２Ｃに示すように、選択可能な１または複数の実施時刻を一覧で表示する実施時刻選択領域６４１ｂ−３（６４１ｂ−３１〜６４１ｂ−３６）と、「戻る」ボタン６４４と、「送信する」ボタン６４３とを備える。図２２Ｃに示す例では、選択可能な１または複数の実施時刻は、現在を基準とした実施時刻からの経過時間（経過時間が０である現在を含む）で表されている。そして、実施時刻選択領域６４１ｂ−３における各経過時間を表示する各領域６４１ｂ−３１〜６４１ｂ−３６それぞれには、複数の経過時間の中から１個の経過時間を指定して入力するためのラジオボタン（○）が備えられている。図２２Ｃに示す例では、「３０分前」選択領域６４１ｂ−３３のラジオボタンがチェックされており、実施時刻として現在から３０分前の時刻が指定されて携帯端末装置ＴＡに入力される。
【０１３１】
また例えば、処理Ｃ１７で「服薬（投薬）ケア」を表示する領域（種類選択ボタン）６３１−４が入力操作されると、携帯端末装置ＴＡは、ＴＡ看介護記録処理部３２５によって、記録書式名として「服薬（投薬」ケア」を収容した選択種類通知通信信号を管理サーバ装置ＳＶへ送信し、その返信として、服薬（投薬）ケア用の記録書式の電子ファイルを収容した書式通知信通信信号を受信し、例えば、図２３に示す服薬（投薬）ケア用記録書式画面６４ｃをＴＡ表示部３６に表示する。
【０１３２】
この服薬（投薬）ケア用記録書式画面６４ｃは、服薬（投薬）ケア用の記録書式を表示する画面であって、実施した服薬（投薬）ケアの内容を看介護記録として入力するための画面である。前記服薬（投薬）ケア用記録書式画面６４ｃは、例えば、図２３に示すように、メニューバー領域５１１と、対象者名を表示する対象者名表示領域６２１と、看介護の内容として入力すべき入力項目を表示して前記入力項目に応じた看介護の内容を看介護記録として入力する看介護記録入力領域６４１ｃと、この看介護記録を他の端末装置ＳＰ、ＴＡから参照可能とするか否かの設定を入力する共有化チェックボックス（□）６４２と、「送信する」ボタン６４３とを備える。
【０１３３】
服薬（投薬）ケア用の記録書式では、例えば、本実施形態では、前記入力項目としてＡ服用時間、Ｂ服用時間、メモおよびケア実施時間であり、これらを入力するために、看介護記録入力領域６４１ｃは、薬剤Ａを服用（投薬）した時刻を入力するためのＡ服用時間入力領域６４１ｃ−１と、薬剤Ｂを服用（投薬）した時刻を入力するためのＢ服用時間入力領域６４１ｃ−２と、メモを入力するための自由記述入力領域６４１ｃ−３と、看介護を実施した時刻を入力するためのケア実施時間入力領域６４１ｃ−４とを備える。看介護記録入力領域６４１ｃ（６４１ｃ−１〜６４１ｃ−４）には、前記タッチパネルを構成するＴＡ入力部３５の入力操作によって、看介護の内容（図２３に示す例では服薬（投薬）ケアの内容）が入力される。
【０１３４】
なお、図示を省略するが、排泄ケア用記録書式画面、バイタルケア用記録書式画面およびモーニングケア用記録書式画面（イブニングケア用記録書式画面）等が、予め用意され、書式情報記憶部２３４に記憶される。
【０１３５】
より具体的には、監視者（ユーザ）は、まず、ＴＡ表示部３６に表示された記録書式を参照し、この記録書式の入力項目に応じた看介護の内容を入力する。この入力された看介護の内容は、ＴＡ看介護記録処理部３２５によって、看介護記録として、対象者名表示領域６２１に表示されている被監視者名と対応付けてＴＡ記憶部３３４に一時的に記憶される。例えば、食事ケアの看介護記録では、監視者（ユーザ）は、ＴＡ表示部３６に表示された食事ケア用記録書式画面６４ａを参照し、この食事ケア用記録書式画面６４ａの看介護記録入力領域６４１ａにおける各領域６４１ａ−１〜６４１ａ−４に、食事ケアの内容を入力し、必要に応じて、共有化チェックボックス（□）６４２を入力操作する。そして、監視者（ユーザ）は、「送信する」ボタン６４３を入力操作する。
【０１３６】
「送信する」ボタン６４３の入力操作を受け付けると、携帯端末装置ＴＡは、ＴＡ看介護記録処理部３２５によって、自機の端末ＩＤ、対象者名（被監視者名）、ならびに、記録書式画面６４を用いて入力されＴＡ記憶部３３に記憶された看介護記録の内容（上述の例では食事ケア用記録書式画面６４ａを用いて入力された主食の摂取量、副食の摂取量、メモ、ケア実施時間および共有化の許否）を収容する看介護記録通知通信信号を管理サーバ装置ＳＶへ送信する。送信すると、ＴＡ看介護記録処理部３２５は、ＴＡ記憶部３３に記憶された前記看介護記録の内容を消去（削除）する。
【０１３７】
管理サーバ装置ＳＶは、この看介護記録通知通信信号を受信すると、ＳＶ看介護記録処理部２２３によって、この受信した看介護記録通知通信信号に収容された、対象者名（被監視者名）と看介護記録の内容（上述の例では主食の摂取量、副食の摂取量、メモ、ケア実施時間および共有化の許否）とを互いに対応付けて看介護記録情報記憶部２３５に記憶する。
【０１３８】
なお、本実施形態では、ＳＶ通信ＩＦ部２１は、互いに対応付けられた前記看介護の内容、前記看介護の種類および被監視者Ｏｂを取得する取得部の一例に相当する。また、管理サーバ装置ＳＶがＳＶ入力部２４をさらに備える場合には、互いに対応付けられた前記看介護の内容、前記看介護の種類および前記被監視者は、ＳＶ入力部２４から入力されても良い。この場合、ＳＶ入力部２４は、前記取得部の他の一例に相当する。
【０１３９】
第１モードでは、このような各処理が実行され、書式選択画面６１に積算結果等が表示され、記録書式を用いて看介護記録が携帯端末装置ＴＡから入力され、管理サーバ装置ＳＶに記憶（記録）される。
【０１４０】
（第２モードの動作）
第２モードでは、管理サーバ装置ＳＶは、上述したように、所定の時間間隔（例えば５分間隔や１０分間隔や３０分間隔等）ごとに、あるいは、前記１または複数の警告判定時刻において、次のように動作することによって、必要に応じた警告（積算結果を含む）を端末装置ＳＰ、ＴＡへ同報通信で通知している。
【０１４１】
より具体的には、図１５において、ＳＶ看介護記録処理部２２３は、看介護記録情報記憶部２３５に記憶された看介護記録から、所定の期間について、所定の看介護の種類、および、センサ情報記憶部２３３にセンサ情報テーブルＳＴ−ＳＶを用いて記憶された被監視者Ｏｂの中における当該処理Ｓ２１ないし後述の処理Ｓ２５の各処理が実行されていない１人の被監視者Ｏｂ、に対応する看介護記録（看介護の内容）を取得する（Ｓ２１）。前記所定の期間は、上述したように、前記看介護の種類に応じて予め設定されている積算開始時点から、当該積算時点（第２モードでは現在時刻の現時点）までである。
【０１４２】
次に、ＳＶ看介護記録処理部２２３は、第１モードの処理Ｓ１２と同様に、処理Ｓ２１で取得した看介護記録に基づいて、所定の期間について、看介護の種類および被監視者Ｏｂに対応する看介護の内容の積算を求める（Ｓ２２）。
【０１４３】
次に、ＳＶ看介護記録処理部２２３は、第１モードの処理Ｓ１３と同様に、前記求めた積算結果（本実施形態では、食事ケアの第１積算結果、水分ケアの第２積算結果および服薬（投薬）ケアの第３積算結果）の達成度合いを求める（Ｓ２３）。
【０１４４】
次に、ＳＶ看介護記録処理部２２３は、第１モードの処理Ｓ１４と同様に、看介護記録情報記憶部２３５に記憶された看介護記録に基づいて、前記求めた積算結果に対応する看介護の種類および被監視者Ｏｂにさらに対応する看介護の前回の実施時点から、前記求めた積算結果の積算時点（第２モードでは現時点）までの経過時間（第Ａ経過時間）を求める（Ｓ２４）。
【０１４５】
次に、ＳＶ看介護記録処理部２２３は、第１モードの処理Ｓ１５と同様に、処理Ｓ２２で求めた積算結果に対応する看介護の種類ごとに、処理Ｓ２２で積算結果を求めた際の前記所定の期間における積算開始時点から当該積算時点までの経過時間（第Ｂ経過時間）を求め、処理Ｓ２３で求めた達成度合いおよび前記求めた第Ｂ経過時間が所定の条件を満たすか否かを判定し、その判定結果を、看介護の種類および被監視者名に対応付けてＳＶ記憶部２３に記憶する（Ｓ２５）。
【０１４６】
次に、ＳＶ看介護記録処理部２２３は、これら処理Ｓ２１ないし処理Ｓ２５の各処理の各実行が、センサ情報記憶部２３３にセンサ情報テーブルＳＴ−ＳＶを用いて記憶された被監視者Ｏｂ全てについて終了したか否かを判定する（Ｓ２６）。この判定の結果、被監視者Ｏｂ全てについて終了していない場合（Ｎｏ）には、処理Ｓ２１ないし処理Ｓ２５の各処理を実行していない被監視者Ｏｂについて、処理Ｓ２１ないし処理Ｓ２５の各処理を実行するために、ＳＶ看介護記録処理部２２３は、処理を処理Ｓ２１に戻す。一方、前記判定の結果、被監視者Ｏｂ全てについて終了している場合（Ｙｅｓ）には、ＳＶ看介護記録処理部２２３は、次の処理Ｓ２７を実行する。
【０１４７】
処理Ｓ２７では、ＳＶ看介護記録処理部２２３は、処理Ｓ２５の判定結果に基づいて、警告が必要か否かを判定する。この判定の結果、処理Ｓ２５で所定の条件を満たす被監視者Ｏｂが存在する場合（処理Ｓ２５の判定結果として、ＳＶ記録部２３に看介護の種類および被監視者名が互いに対応付けられて記憶されている場合）には、ＳＶ看介護記録処理部２２３は、警告が必要と判定し（Ｙｅｓ）、処理Ｓ２８および処理Ｓ２９の各処理を順次に実行した後に、今回の本処理を終了する。一方、前記判定の結果、処理Ｓ２５で所定の条件を満たす被監視者Ｏｂが存在しない場合（処理Ｓ２５の判定結果として、ＳＶ記録部２３に看介護の種類および被監視者名が互いに対応付けられて記憶されていない場合）には、ＳＶ看介護記録処理部２２３は、警告が必要ではない（すなわち警告が不要）と判定し（Ｎｏ）、今回の本処理を終了する。
【０１４８】
処理Ｓ２８では、ＳＶ看介護記録処理部２２３は、これら処理Ｓ２１ないし処理Ｓ２５の各処理結果に基づいて、所定のマークアップ言語を用いて、警告を行うための警告画面のデータ（電子ファイル）を作成する。
【０１４９】
前記警告画面７１は、例えば、図２４に示すように、メニューバー領域５１１と、警告メッセージ表示領域７１１と、警告看介護種類名表示領域７１２と、警告被監視者名表示領域７１３（７１３−１、７１３−２）と、達成度合い表示領域７１４（７１４−１、７１４−２）と、経過時間表示領域７１５（７１５−１、７１５−２）と、「対応する」ボタン７１６（７１６−１、７１６−２）と、今日の年月日時を表示する年月日時領域７１７とを備える。
【０１５０】
警告メッセージ表示領域７１１は、処理Ｓ２５で所定の条件を満たすと判定された被監視者Ｏｂ（処理Ｓ２５の判定結果として、ＳＶ記録部２３に看介護の種類に対応付けられて記憶された被監視者名の被監視者Ｏｂ）について、前記処理Ｓ２３で求めた積算結果の達成度合いが低いことを表すメッセージ、例えば図２４に示す例では「！  水分摂取量異常」を表示する領域である。警告看介護種類名表示領域７１２は、処理Ｓ２５で所定の条件を満たすと判定された被監視者Ｏｂについて、前記処理Ｓ２２で求めた積算結果に対応する看介護の種類を表示する領域である。警告被監視者名表示領域７１３は、処理Ｓ２５で所定の条件を満たすと判定された被監視者Ｏｂの被監視者名を表示する領域である。達成度合い表示領域７１４は、処理Ｓ２５で所定の条件を満たすと判定された被監視者Ｏｂについて、前記処理Ｓ２３で求めた達成度合い（本実施形態では達成率）を表示する領域である。経過時間表示領域７１５は、前記処理Ｓ２４で求めた第Ａ経過時間を表示する領域である。「対応する」ボタン７１６は、上述した「対応する」ボタン５２４と同様である。そして、前記処理Ｓ２５の判定の結果、所定の条件を満たすと判定された看介護の種類が複数である場合には、前記看介護の種類数だけ、警告メッセージ表示領域７１１、警告看介護種類名表示領域７１２、警告被監視者名表示領域７１３、達成度合い表示領域７１４、経過時間表示領域７１５および「対応する」ボタン７１６のセット（組）が繰り返し表示される。さらに、前記処理Ｓ２５の判定の結果、所定の条件を満たすと判定された被監視者Ｏｂが複数である場合には、前記被監視者Ｏｂの人数だけ、警告被監視者名表示領域７１３、達成度合い表示領域７１４、経過時間表示領域７１５および「対応する」ボタン７１６のサブセットが繰り返し表示される。図２４に示す例では、２人分を表示するために、２個のサブセットが繰り返し表示されている。
【０１５１】
そして、図１５に戻って、処理Ｓ２８の次に実行される処理Ｓ２９では、ＳＶ看介護記録処理部２２３は、処理Ｓ２８で生成した警告画面の電子ファイルを収容した通信信号（警告通知通信信号）を同報通信で端末装置ＳＰ、ＴＡへ送信し、今回の本処理を終了する。前記同報通信は、マルチキャストであって良く、またブロードキャストであって良い。なお、警告通知通信信号は、前記通知先対応関係において、警告被監視者名表示領域７１３に表示する被監視者名の被監視者Ｏｂ、を監視するセンサ装置ＳＵ、に対応する所定の端末装置ＳＰ、ＴＡへ送信されても良い。
【０１５２】
管理サーバ装置ＳＶから警告通知通信信号を受信すると、携帯端末装置ＴＡは、ＴＡ制御処理部３２によって、警告画面７１をＴＡ表示部３６に表示する。携帯端末装置ＴＡのユーザ（監視者）は、警告画面７１を参照し、警告画面７１に表示された警告に対し適宜な看介護を実施する意思がある場合に、警告画面７１の「対応する」ボタン７１６を入力操作する。携帯端末装置ＴＡは、ＴＡ制御処理部３２によって、前記タッチパネルを構成するＴＡ入力部３５から「対応する」ボタン７１６の入力操作を受け付けると、ＴＡ表示部３６に表示している警告画面７１における、警告看介護種類名表示領域７１２および警告被監視者名表示領域７１３それぞれに表示されている看介護の種類名および被監視者名、「対応する」を受け付けた旨を表す情報（対応有意思情報）、ならびに、自機の端末ＩＤを収容した通信信号（第２対応有意思通知通信信号）を管理サーバ装置ＳＶへ送信する。
【０１５３】
この第２対応有意思通知通信信号を受信した管理サーバ装置ＳＶは、ＳＶ看介護記録処理部２２３によって、前記受信した第２対応有意思通知通信信号に収容された看介護の種類名および被監視者名に対応する記録書式の電子ファイルを収容した書式通知信通信信号を、前記携帯端末装置ＴＡへ返信する。管理サーバ装置ＳＶから書式通知通信信号を受信すると、携帯端末装置ＴＡは、ＴＡ看介護記録処理部３２５によって、記録書式画面６４をＴＡ表示部３６に表示する。
【０１５４】
なお、「対応する」ボタン７１６が入力操作されない場合には、予め設定された所定時間の経過後に、あるいは、警告画面７１における、「対応する」ボタン７１６を除く他の領域が例えば「タップ」等で入力操作されることによって、警告画面７１が消去され、待ち受け画面６１が表示される。
【０１５５】
第２モードでは、このような各処理が実行され、警告が通知され、その警告画面７１に積算結果等が表示される。
【０１５６】
（第３モードの動作）
第３モードでは、端末装置ＳＰ、ＴＡから看介護記録の表示の要求を受け付けると、図１６において、管理サーバ装置ＳＶは、ＳＶ看介護記録処理部２２３によって、看介護記録情報記憶部２３５に記憶された看介護記録から、所定の期間ついて、所定の看介護の種類、および、センサ情報記憶部２３３にセンサ情報テーブルＳＴ−ＳＶを用いて記憶された被監視者Ｏｂの中における当該処理Ｓ３１ないし後述の処理Ｓ３５の各処理が実行されていない１人の被監視者Ｏｂ、に対応する看介護記録（看介護の内容）を取得する（Ｓ３１）。前記所定の期間は、上述したように、前記看介護の種類に応じて予め設定されている積算開始時点から、当該積算時点（第３モードでは前記要求を受け付けた時点）までである。
【０１５７】
なお、前記要求の受付は、看介護記録の表示を要求する命令（指示、コマンド）および端末ＩＤを収容する通信信号（看介護記録表示要求通信信号）を受信することによって行われる。前記看介護記録表示要求通信信号は、端末装置ＳＰ、ＴＡに設けられた、看介護記録の表示の要求を、当該携帯端末装置ＴＡに入力するための図略のボタンが入力操作されることによって、端末装置ＳＰ、ＴＡから管理サーバ装置ＳＶへ送信される。
【０１５８】
次に、ＳＶ看介護記録処理部２２３は、第１モードの処理Ｓ１２と同様に、処理Ｓ３１で取得した看介護記録に基づいて、所定の期間について、看介護の種類および被監視者Ｏｂに対応する看介護の内容の積算を求める（Ｓ３２）。
【０１５９】
次に、ＳＶ看介護記録処理部２２３は、第１モードの処理Ｓ１３と同様に、前記求めた積算結果（本実施形態では、食事ケアの第１積算結果、水分ケアの第２積算結果および服薬（投薬）ケアの第３積算結果）の達成度合いを求める（Ｓ３３）。
【０１６０】
次に、ＳＶ看介護記録処理部２２３は、第１モードの処理Ｓ１４と同様に、看介護記録情報記憶部２３５に記憶された看介護記録に基づいて、前記求めた積算結果に対応する看介護の種類および被監視者Ｏｂにさらに対応する看介護の前回の実施時点から、前記求めた積算結果の積算時点（第３モードでは前記要求の時点）までの経過時間（第Ａ経過時間）を求める（Ｓ３４）。
【０１６１】
次に、ＳＶ看介護記録処理部２２３は、第１モードの処理Ｓ１５と同様に、処理Ｓ３２で求めた積算結果に対応する看介護の種類ごとに、処理Ｓ３２で積算結果を求めた際の前記所定の期間における積算開始時点から当該積算時点までの経過時間（第Ｂ経過時間）を求め、処理Ｓ３３で求めた達成度合いおよび前記求めた第Ｂ経過時間が所定の条件を満たすか否かを判定し、その判定結果を、看介護の種類および被監視者名に対応付けてＳＶ記憶部２３に記憶する（Ｓ３５）。
【０１６２】
次に、ＳＶ看介護記録処理部２２３は、これら処理Ｓ３１ないし処理Ｓ３５の各処理の各実行が、センサ情報記憶部２３３にセンサ情報テーブルＳＴ−ＳＶを用いて記憶された被監視者Ｏｂ全てについて終了したか否かを判定する（Ｓ３６）。この判定の結果、被監視者Ｏｂ全てについて終了していない場合（Ｎｏ）には、処理Ｓ３１ないし処理Ｓ３５の各処理を実行していない被監視者Ｏｂについて、処理Ｓ３１ないし処理Ｓ３５の各処理を実行するために、ＳＶ看介護記録処理部２２３は、処理を処理Ｓ３１に戻す。一方、前記判定の結果、被監視者Ｏｂ全てについて終了している場合（Ｙｅｓ）には、ＳＶ看介護記録処理部２２３は、次の処理Ｓ３７を実行する。
【０１６３】
処理Ｓ３７では、これら処理Ｓ３１ないし処理Ｓ３５の各処理結果に基づいて、所定のマークアップ言語を用いて、看介護記録を表示するための履歴画面のデータ（電子ファイル）を作成する。
【０１６４】
前記履歴画面７２は、例えば、図２５に示すように、表形式で、被監視者Ｏｂごとに看介護記録を表示する。より具体的には、履歴画面７２は、被監視者Ｏｂにおける居室名と氏名を表示する被監視者表示欄７２１と、前記被監視者表示欄７２１に表示された被監視者Ｏｂに対する看介護の内容を表示する看介護記録表示欄７２２とを備え、これら被監視者表示欄７２１および看介護記録表示欄７２２は、被監視者Ｏｂごとに区切られた表示行を持つ。看介護記録表示欄７２２は、当該履歴画面７２で表示すべき看介護の種類ごとに複数の欄にさらに区切られている。図２５に示す例では、看介護記録表示欄７２２は、食事ケアの内容を表示する食事ケア表示欄７２２ａ、および、水分ケアのケア内容を表示する水分ケア表示欄７２２ｂ等を備える。看介護記録表示欄７２２における看介護の種類ごとに区切られた欄は、当該履歴画面７２で表示すべきであって看介護の種類に応じた看介護の内容ごとにさらに区切られている。図２５に示す例では、食事ケア表示欄７２２ａは、食事ケアの内容に対する積算結果（本実施形態では食事量の総和）を表示する食事量表示欄７２２ａ−１、その達成率を表示する摂食達成率表示欄７２２ａ−２、および、食事ケアの前回の実施時刻からの第Ａ経過時間を表示する前回食事経過時間表示欄７２２ａ−３を備え、これら食事量表示欄７２２ａ−１、摂食達成率表示欄７２２ａ−２および前回食事経過時間表示欄７２２ａ−３それぞれには、当該行の被監視者Ｏｂに対し、かつ、食事ケアに対する、処理Ｓ３２で求められた積算結果、処理Ｓ３３で求められた達成率および処理Ｓ３４で求められた第Ａ経過時間が表示される。水分ケア表示欄７２２ｂは、水分ケアの内容に対する積算結果（本実施形態では水分摂取量の総和）を表示する水分量表示欄７２２ｂ−１、その達成率を表示する摂水達成率表示欄７２２ｂ−２、および、水分ケアの前回の実施時刻からの第Ａ経過時間を表示する前回摂水経過時間表示欄７２２ｂ−３を備え、これら水分量表示欄７２２ｂ−１、摂水達成率表示欄７２２ｂ−２および前回摂水経過時間表示欄７２２ｂ−３それぞれには、当該行の被監視者Ｏｂに対し、かつ、水分ケアに対する、処理Ｓ３２で求められた積算結果、処理Ｓ３３で求められた達成率および処理Ｓ３４で求められた第Ａ経過時間が表示される。摂食達成率表示欄７２２ａ−２および摂水達成率表示欄７２２ｂ−２には、処理Ｓ３３で求められた達成率がそのまま数値で表示されても良いが、本実施形態では、グラフ、例えば円グラフで表示されている。そして、履歴画面７２は、前記要求の行われた日付を表示する日付表示領域７２３をさらに備える。さらに、本実施形態では、前記積算結果は、処理Ｓ３５の判定結果に基づいて、処理Ｓ３２で求めた積算結果の達成度合いおよび第Ｂ経過時間が所定の条件を満たすか否かに応じた互いに異なる表示態様で、処理Ｓ３２で求めた積算結果が表示される。例えば、前記所定の条件を満たさない場合には、処理Ｓ３２で求めた積算結果は、常時点灯状態で表示され、前記所定の条件を満たす場合には、処理Ｓ３２で求めた積算結果は、点滅状態で表示される。図２５に示す例では、第１行目の分量表示欄７２２ｂ−１に表示された「１００ｃｃ」が点滅表示されている。なお、前記所定の条件を満たさない場合には、処理Ｓ３２で求めた積算結果、緑色や青色等で表示され、前記所定の条件を満たす場合には、処理Ｓ３２で求めた積算結果は、黄色や赤色等で表示されても良い。
【０１６５】
そして、次に、ＳＶ看介護記録処理部２２３は、処理Ｓ３７で生成した履歴画面７２の電子ファイルを収容した履歴通知通信信号を前記携帯端末装置ＴＡへ返信する。
【０１６６】
管理サーバ装置ＳＶから履歴通知通信信号を受信すると、携帯端末装置ＴＡは、ＴＡ看介護記録処理部３２５によって、履歴画面７２をＴＡ表示部３６に表示する。
【０１６７】
第３モードでは、このような各処理が実行され、端末装置ＳＰ、ＴＡの要求に応じて履歴画面７２が表示され、その履歴画面７２に積算結果等が表示される。
【０１６８】
（第４モードの動作）
第４モードでは、上述したように、端末装置ＳＰ、ＴＡから当該被監視者監視システムＭＳのログインを受け付けると、図１７において、管理サーバ装置ＳＶは、ＳＶ看介護記録処理部２２３によって、看介護記録情報記憶部２３５に記憶された看介護記録から、所定の期間ついて、所定の看介護の種類、および、センサ情報記憶部２３３にセンサ情報テーブルＳＴ−ＳＶを用いて記憶された被監視者Ｏｂの中における当該処理Ｓ４１ないし後述の処理Ｓ４５の各処理が実行されていない１人の被監視者Ｏｂ、に対応する看介護記録（看介護の内容）を取得する（Ｓ４１）。前記所定の期間は、上述したように、前記看介護の種類に応じて予め設定されている積算開始時点から、当該積算時点（第４モードではログインを受け付けた時点）までである。
【０１６９】
次に、ＳＶ看介護記録処理部２２３は、第１モードの処理Ｓ１２と同様に、処理Ｓ４１で取得した看介護記録に基づいて、所定の期間について、看介護の種類および被監視者Ｏｂに対応する看介護の内容の積算を求める（Ｓ４２）。
【０１７０】
次に、ＳＶ看介護記録処理部２２３は、第１モードの処理Ｓ１３と同様に、前記求めた積算結果（本実施形態では、食事ケアの第１積算結果、水分ケアの第２積算結果および服薬（投薬）ケアの第３積算結果）の達成度合いを求める（Ｓ４３）。
【０１７１】
次に、ＳＶ看介護記録処理部２２３は、第１モードの処理Ｓ１４と同様に、看介護記録情報記憶部２３５に記憶された看介護記録に基づいて、前記求めた積算結果に対応する看介護の種類および被監視者Ｏｂにさらに対応する看介護の前回の実施時点から、前記求めた積算結果の積算時点（第４モードではログインの時点）までの経過時間（第Ａ経過時間）を求める（Ｓ４４）。
【０１７２】
次に、ＳＶ看介護記録処理部２２３は、第１モードの処理Ｓ１５と同様に、処理Ｓ４２で求めた積算結果に対応する看介護の種類ごとに、処理Ｓ４２で積算結果を求めた際の前記所定の期間における積算開始時点から当該積算時点までの経過時間（第Ｂ経過時間）を求め、処理Ｓ４３で求めた達成度合いおよび前記求めた第Ｂ経過時間が所定の条件を満たすか否かを判定し、その判定結果を、看介護の種類および被監視者名に対応付けてＳＶ記憶部２３に記憶する（Ｓ４５）。
【０１７３】
次に、ＳＶ看介護記録処理部２２３は、これら処理Ｓ４１ないし処理Ｓ４５の各処理の各実行が、センサ情報記憶部２３３にセンサ情報テーブルＳＴ−ＳＶを用いて記憶された被監視者Ｏｂ全てについて終了したか否かを判定する（Ｓ４６）。この判定の結果、被監視者Ｏｂ全てについて終了していない場合（Ｎｏ）には、処理Ｓ４１ないし処理Ｓ４５の各処理を実行していない被監視者Ｏｂについて、処理Ｓ４１ないし処理Ｓ４５の各処理を実行するために、ＳＶ看介護記録処理部２２３は、処理を処理Ｓ４１に戻す。一方、前記判定の結果、被監視者Ｏｂ全てについて終了している場合（Ｙｅｓ）には、ＳＶ看介護記録処理部２２３は、次の処理Ｓ４７を実行する。
【０１７４】
処理Ｓ４７では、ＳＶ看介護記録処理部２２３は、第２モードの処理Ｓ２７と同様に、処理Ｓ４５の判定結果に基づいて、警告が必要か否かを判定する。この判定の結果、処理Ｓ４５で所定の条件を満たす被監視者Ｏｂが存在する場合（処理Ｓ４５の判定結果として、ＳＶ記録部２３に看介護の種類および被監視者名が互いに対応付けられて記憶されている場合）には、ＳＶ看介護記録処理部２２３は、警告が必要と判定し（Ｙｅｓ）、処理Ｓ４８および処理Ｓ４９の各処理を順次に実行した後に、今回の本処理を終了する。一方、前記判定の結果、処理Ｓ４５で所定の条件を満たす被監視者Ｏｂが存在しない場合（処理Ｓ４５の判定結果として、ＳＶ記録部２３に看介護の種類および被監視者名が互いに対応付けられて記憶されていない場合）には、ＳＶ看介護記録処理部２２３は、警告が必要ではない（すなわち警告が不要）と判定し（Ｎｏ）、今回の本処理を終了する。
【０１７５】
処理Ｓ４８では、ＳＶ看介護記録処理部２２３は、これら処理Ｓ４１ないし処理Ｓ４５の各処理結果に基づいて、所定のマークアップ言語を用いて、例えば上述した図２４に示す警告画面７１のデータ（電子ファイル）を作成する。
【０１７６】
そして、次に、処理Ｓ４９では、ＳＶ看介護記録処理部２２３は、処理Ｓ４８で生成した警告画面の電子ファイルを収容した警告通知通信信号を同報通信で端末装置ＳＰ、ＴＡへ送信し、今回の本処理を終了する。
【０１７７】
管理サーバ装置ＳＶから警告通知通信信号を受信すると、携帯端末装置ＴＡは、ＴＡ制御処理部３２によって、警告画面７１をＴＡ表示部３６に表示する。携帯端末装置ＴＡのユーザ（監視者）は、警告画面７１を参照し、警告画面７１に表示された警告に対し適宜な看介護を実施する意思がある場合に、警告画面７１の「対応する」ボタン７１６を入力操作する。携帯端末装置ＴＡは、ＴＡ制御処理部３２によって、前記タッチパネルを構成するＴＡ入力部３５から「対応する」ボタン７１６の入力操作を受け付けると、ＴＡ表示部３６に表示している警告画面７１における、警告看介護種類名表示領域７１２および警告被監視者名表示領域７１３それぞれに表示されている看介護の種類名および被監視者名、「対応する」を受け付けた旨を表す対応有意思情報、ならびに、自機の端末ＩＤを収容した第２対応有意思通知通信信号を管理サーバ装置ＳＶへ送信する。
【０１７８】
この第２対応有意思通知通信信号を受信した管理サーバ装置ＳＶは、ＳＶ看介護記録処理部２２３によって、前記受信した第２対応有意思通知通信信号に収容された看介護の種類名および被監視者名に対応する記録書式の電子ファイルを収容した書式通知信通信信号を、前記携帯端末装置ＴＡへ返信する。管理サーバ装置ＳＶから書式通知通信信号を受信すると、携帯端末装置ＴＡは、ＴＡ看介護記録処理部３２５によって、記録書式画面６４をＴＡ表示部３６に表示する。
【０１７９】
第４モードでは、このような各処理が実行され、端末装置ＳＰ、ＴＡがログインした際に、必要に応じて警告が通知され、その警告画面７１に積算結果等が表示される。
【０１８０】
以上説明したように、本実施形態における被監視者監視システムＭＳ、前記中央処理装置の一例である管理サーバ装置ＳＶおよびこれに実装された中央処理方法は、看介護記録情報記憶部２３５に記憶された看介護記録に基づいて、所定の期間について、看介護の種類および被監視者Ｏｂに対応する看介護の内容の積算を求め、この求めた積算結果を、所定の表示装置、本実施形態では端末装置ＳＰ、ＴＡに表示させる。このため、監視者（ユーザ）は、前記所定の表示装置に表示された、看介護の種類および被監視者Ｏｂに対応する看介護の内容の積算結果を参照することができ、前記積算結果を参照することによって、被監視者Ｏｂごとの目標に対する看介護の実施状況を勘案することでき、実施済みの看介護の内容が被監視者Ｏｂに適した度合いであるか否かを判断できる。したがって、上記被監視者監視システムＭＳ、管理サーバ装置ＳＶおよび中央処理方法は、看介護の内容が被監視者Ｏｂに適した度合いであるか否かの判断を支援できる。
【０１８１】
上記被監視者監視システムＭＳ、管理サーバ装置ＳＶおよび中央処理方法は、看介護目標情報記憶部２３６に記憶された看介護目標情報から、前記求めた積算結果に対応する前記看介護の種類および被監視者Ｏｂにさらに対応する看介護の目標を取り出し、前記求めた積算結果を、この取り出した看介護の目標と関連するように、前記所定の表示装置に表示させる。このため、監視者（ユーザ）は、前記所定の表示装置に前記看介護の目標と関連するように表示された、看介護の種類および被監視者Ｏｂに対応する看介護の内容の積算結果を参照することができ、被監視者Ｏｂごとの目標を記憶する必要が無く（被監視者Ｏｂごとの目標の記憶に頼る必要が無く）、被監視者Ｏｂごとの目標に対する看介護の実施状況をより正確に勘案することでき、実施済みの看介護の内容が被監視者Ｏｂに適した度合いであるか否かをより正確に判断できる。したがって、上記被監視者監視システムＭＳ、管理サーバ装置ＳＶおよび中央処理方法は、看介護の内容が被監視者Ｏｂに適した度合いであるか否かの判断をより好適に支援できる。
【０１８２】
上記被監視者監視システムＭＳ、管理サーバ装置ＳＶおよび中央処理方法は、書式選択画面６３に前記求めた積算結果を、前記所定の表示装置に表示させる。このため、監視者（ユーザ）は、看介護記録を実施する際に、被監視者Ｏｂごとの目標に対する看介護の実施状況を勘案することでき、実施済みの看介護の内容が被監視者Ｏｂに適した度合いであるか否かを判断できる。したがって、また、上記被監視者監視システムＭＳ、管理サーバ装置ＳＶおよび中央処理方法は、今後の看介護が被監視者Ｏｂに適した度合いであるか否かの判断を支援できる。
【０１８３】
上記被監視者監視システムＭＳ、管理サーバ装置ＳＶおよび中央処理方法は、前記求めた積算結果の達成度合いおよび経過時間が所定の条件を満たす場合に、警告を、前記所定の表示装置にさらに表示させる。このため、監視者（ユーザ）は、前記警告を参照することによって、看介護の目標を未達の被監視者Ｏｂに対し、前記未達の看介護をより積極的に実施でき、必要かつ充分な看介護が確実かつ効率よく実施できる。
【０１８４】
上記被監視者監視システムＭＳ、管理サーバ装置ＳＶおよび中央処理方法は、前記警告に応じた看介護の種類に対応する記録書式を取り出し、この取り出した記録書式を、前記所定の表示装置に表示させる。このため、監視者（ユーザ）は、前記警告の表示に応じて実施した看介護の記録を、自動的に表示された記録書式で入力でき、前記警告の表示に応じて実施した看介護を記録するために、前記中央処理装置の一例である管理サーバ装置ＳＶに記録書式を要求する必要が無く、その手間を省くことができる。
【０１８５】
上記被監視者監視システムＭＳ、管理サーバ装置ＳＶおよび中央処理方法は、看介護記録の表示を要求された場合に、看介護記録情報記憶部２３５に記憶された看介護記録に基づいて、所定の期間について、看介護の種類および被監視者Ｏｂに対応する看介護の内容の積算を求め、この求めた積算結果を、前記要求を行った要求元の表示装置に表示させる。このため、監視者（ユーザ）は、前記表示装置に表示された、看介護の種類および被監視者Ｏｂに対応する看介護の内容の積算結果を参照することができ、積算結果を参照することによって、要求時点における、被監視者Ｏｂごとの目標に対する看介護の実施状況を勘案することでき、実施済みの看介護の内容が被監視者Ｏｂに適した度合いであるか否かを判断できる。したがって、上記被監視者監視システムＭＳ、管理サーバ装置ＳＶおよび中央処理方法は、看介護の内容が被監視者Ｏｂに適した度合いであるか否かの判断を支援できる。
【０１８６】
上記被監視者監視システムＭＳ、管理サーバ装置ＳＶおよび中央処理方法は、看介護目標情報記憶部２３６に記憶された看介護目標情報から、前記求めた積算結果に対応する前記看介護の種類および被監視者Ｏｂにさらに対応する看介護の目標を取り出し、前記求めた積算結果を、この取り出した看介護の目標と関連するように、前記要求を行った要求元の表示装置に表示させる。このため、監視者（ユーザ）は、前記所定の表示装置に前記看介護の目標と関連するように表示された、看介護の種類および被監視者Ｏｂに対応する看介護の内容の積算結果を参照することができ、被監視者Ｏｂごとの目標を記憶する必要が無く（被監視者Ｏｂごとの目標の記憶に頼る必要が無く）、要求時点における、被監視者Ｏｂごとの目標に対する看介護の実施状況をより正確に勘案することでき、実施済みの看介護の内容が被監視者Ｏｂに適した度合いであるか否かをより正確に判断できる。したがって、上記被監視者監視システムＭＳ、管理サーバ装置ＳＶおよび中央処理方法は、看介護の内容が被監視者Ｏｂに適した度合いであるか否かの判断をより好適に支援できる。
【０１８７】
上記被監視者監視システムＭＳ、管理サーバ装置ＳＶおよび中央処理方法は、端末装置ＳＰ、ＴＡがログインした場合に、前記積算結果の達成度合いおよび前記経過時間それぞれを求め、前記求めた積算結果の達成度合いおよび経過時間が所定の条件を満たす場合に、警告を、前記ログインした前記端末装置ＳＰ、ＴＡに表示させる。このため、端末装置ＳＰ、ＴＡで被監視者監視システムＭＳにログインした監視者（ユーザ）は、前記警告を参照することによって、看介護の目標を未達の被監視者Ｏｂに対し、前記未達の看介護をより積極的に実施できる。
【０１８８】
上記被監視者監視システムＭＳ、管理サーバ装置ＳＶおよび中央処理方法は、前記求めた積算結果の達成度合いおよび経過時間が所定の条件を満たすか否かに応じた互いに異なる表示態様で、前記求めた積算結果を、前記所定の表示装置に表示させる。このため、監視者（ユーザ）は、前記求めた積算結果の表示態様を参照することによって、前記積算時点における、被監視者Ｏｂごとの目標に対する看介護の達成度合いを視認でき、達成度合いの低い場合に、その看介護をより積極的に実施できる。
【０１８９】
上記被監視者監視システムＭＳ、管理サーバ装置ＳＶおよび中央処理方法は、前記看介護の前回の実施時点から当該積算時点までの経過時間を、前記所定の表示装置にさらに表示させる。このように積算結果に加えてさらに経過時間が表示されるので、監視者（ユーザ）は、積算時点の実績を把握でき、次回に看介護を実施する内容量および時刻を予定でき、次回に看介護を実施するための参考情報となる。
【０１９０】
上記被監視者監視システムＭＳ、管理サーバ装置ＳＶおよび中央処理方法は、水分ケア、食事ケアおよび服薬ケアに対し、前記積算結果を表示するので、これら看介護を好適に支援できる。
【０１９１】
本明細書は、上記のように様々な態様の技術を開示しているが、そのうち主な技術を以下に纏める。
【０１９２】
一態様にかかる中央処理装置は、監視対象である被監視者に対応して設けられ、前記被監視者に関わる所定のイベントを検知するセンサ装置、前記センサ装置と通信可能に接続され、前記センサ装置で検知されて前記センサ装置から受信したイベントを管理する中央処理装置、および、前記中央処理装置と通信可能に接続され前記中央処理装置を介して前記センサ装置で検知されたイベントの通知を受ける端末装置を備え、前記被監視者を監視するための被監視者監視システムの前記中央処理装置であって、看護および介護のうちの少なくとも一方を含む看介護を実施した看介護の内容を、前記実施した看介護の種類および前記被監視者に対応付けて看介護記録として記憶する看介護記録情報記憶部と、前記看介護記録情報記憶部に記憶された看介護記録に基づいて、所定の期間について、前記看介護の種類および前記被監視者に対応する看介護の内容の積算を求め、前記求めた積算結果を、所定の表示装置に表示させる看介護記録処理部とを備える。好ましくは、上述の中央処理装置において、互いに対応付けられた前記看介護の内容、前記看介護の種類および前記被監視者を取得する取得部をさらに備える。好ましくは、上述の中央処理装置において、前記取得部は、互いに対応付けられた前記看介護の内容、前記看介護の種類および前記被監視者の入力を受け付ける入力部である。好ましくは、上述の中央処理装置において、前記取得部は、前記看介護の内容、前記看介護の種類および前記被監視者を収容する通信信号（看介護記録通知通信信号）を受信する通信インターフェース部である。好ましくは、上述の中央処理装置において、前記所定の期間は、前記看介護の種類に応じて予め設定されている積算開始時点から、当該積算時点までである。好ましくは、上述の中央処理装置において、前記所定の表示装置は、当該中央処理装置にさらに備えられる表示装置である。好ましくは、上述の中央処理装置において、前記所定の表示装置は、当該中央処理装置に通信可能に接続される表示装置（前記端末装置を含む）であり、前記看介護記録処理部は、前記看介護の種類、前記被監視者、ならびに、前記看介護の種類および前記被監視者に対応する前記積算結果を収容する通信信号（積算結果通知通信信号）を前記所定の表示装置へ送信することによって、前記求めた積算結果を、前記所定の表示装置に表示させる。
【０１９３】
このような中央処理装置は、看介護記録情報記憶部に記憶された看介護記録に基づいて、所定の期間について、看介護の種類および被監視者に対応する看介護の内容の積算を求め、この求めた積算結果を、所定の表示装置に表示させる。このため、監視者（ユーザ）は、前記所定の表示装置に表示された、看介護の種類および被監視者に対応する看介護の内容の積算結果を参照することができ、前記積算結果を参照することによって、被監視者ごとの目標に対する看介護の実施状況を勘案することでき、実施済みの看介護の内容が被監視者に適した度合いであるか否かを判断できる。したがって、上記中央処理装置は、看介護の内容が被監視者に適した度合いであるか否かの判断を支援できる。
【０１９４】
他の一態様では、上述の中央処理装置において、前記看介護の目標を、前記看介護の種類および前記被監視者に対応付けて看介護目標情報として記憶する看介護目標情報記憶部をさらに備え、前記看介護記録処理部は、前記看介護目標情報記憶部に記憶された看介護目標情報から、前記求めた積算結果に対応する前記看介護の種類および前記被監視者にさらに対応する看介護の目標を取り出し、前記求めた積算結果を、前記取り出した看介護の目標と関連するように、前記所定の表示装置に表示させる。好ましくは、上述の中央処理装置において、前記看介護目標情報を取得する第２取得部をさらに備える。好ましくは、上述の中央処理装置において、前記第２取得部は、前記看介護目標情報の入力を受け付ける入力部である。好ましくは、上述の中央処理装置において、前記第２取得部は、前記看介護目標情報を収容する通信信号（看介護目標通知通信信号）を受信する通信インターフェース部である。好ましくは、上述の中央処理装置において、前記看介護記録処理部は、前記取り出した看介護の目標そのものを前記所定の表示装置にさらに表示させることによって、前記求めた積算結果を、前記取り出した看介護の目標と関連するように、前記所定の表示装置に表示させる。好ましくは、上述の中央処理装置において、前記看介護記録処理部は、前記看介護の種類、前記被監視者、前記看介護の種類および前記被監視者に対応する前記積算結果、ならびに、前記看介護の種類および前記被監視者に対応する看介護の目標を前記積算結果通知通信信号を収容する。好ましくは、上述の中央処理装置において、前記看介護記録処理部は、前記取り出した看介護の目標に対する前記求めた積算結果の達成度合い（例えば百分率で表した達成率、百分率で表した未達率および未達量等）を求め、前記求めた達成度合いを前記所定の表示装置にさらに表示させることによって、前記求めた積算結果を、前記取り出した看介護の目標と関連するように、前記所定の表示装置に表示させる。好ましくは、上述の中央処理装置において、前記看介護記録処理部は、前記看介護の種類、前記被監視者、ならびに、前記看介護の種類および前記被監視者に対応する前記積算結果の達成度合いを前記積算結果通知通信信号を収容する。好ましくは、上述の中央処理装置において、前記看介護記録処理部は、前記求めた達成度合いをグラフ表示（例えば円グラフおよび棒グラフ等）で前記所定の表示装置に表示させる。
【０１９５】
このような中央処理装置は、看介護目標情報記憶部に記憶された看介護目標情報から、前記求めた積算結果に対応する前記看介護の種類および前記被監視者にさらに対応する看介護の目標を取り出し、前記求めた積算結果を、この取り出した看介護の目標と関連するように、前記所定の表示装置に表示させる。このため、監視者（ユーザ）は、前記所定の表示装置に前記看介護の目標と関連するように表示された、看介護の種類および被監視者に対応する看介護の内容の積算結果を参照することができ、被監視者ごとの目標を記憶する必要が無く（被監視者ごとの目標の記憶に頼る必要が無く）、被監視者ごとの目標に対する看介護の実施状況をより正確に勘案することでき、実施済みの看介護の内容が被監視者に適した度合いであるか否かをより正確に判断できる。したがって、上記中央処理装置は、看介護の内容が被監視者に適した度合いであるか否かの判断をより好適に支援できる。
【０１９６】
他の一態様では、これら上述の中央処理装置において、前記看介護の種類に対応して作成され、前記看介護の内容を前記看介護記録として入力するための記録書式を記憶する書式情報記憶部をさらに備え、前記看介護記録処理部は、前記書式情報記憶部に記憶され選択可能な記録書式の種類を表示して前記記録書式の種類を選択するための書式選択画面に、前記求めた積算結果を表示させることによって、前記求めた積算結果を、前記所定の表示装置に表示させる。好ましくは、上述の中央処理装置において、前記看介護記録処理部は、前記書式情報記憶部に記憶され選択可能な記録書式の種類、および、前記求めた積算結果を表示して前記記録書式の種類を選択するための書式選択画面のデータ（電子ファイル）を収容する通信信号（選択可能種類通知通信信号）を前記所定の表示装置へ送信することによって、前記求めた積算結果を、前記所定の表示装置に表示させる。
【０１９７】
このような中央処理装置は、書式選択画面に前記求めた積算結果を、前記所定の表示装置に表示させる。このため、監視者（ユーザ）は、看介護記録を実施する際に、被監視者ごとの目標に対する看介護の実施状況を勘案することでき、実施済みの看介護の内容が被監視者に適した度合いであるか否かを判断できる。したがって、上記中央処理装置は、今後の看介護が被監視者に適した度合いであるか否かの判断を支援できる。
【０１９８】
他の一態様では、これら上述の中央処理装置において、前記看介護の目標を、前記看介護の種類および前記被監視者に対応付けて看介護目標情報として記憶する看介護目標情報記憶部をさらに備え、前記看介護記録処理部は、前記看介護目標情報記憶部に記憶された看介護目標情報から、前記求めた積算結果に対応する前記看介護の種類および前記被監視者にさらに対応する看介護の目標を取り出し、前記取り出した看介護の目標に対する前記求めた積算結果の達成度合いを求め、前記所定の期間における積算開始時点から当該積算時点までの経過時間を求め、前記求めた積算結果の達成度合いおよび経過時間が所定の条件を満たす場合に、警告を、前記所定の表示装置にさらに表示させる。好ましくは、上述の中央処理装置において、前記看介護記録処理部は、前記看介護目標情報記憶部に記憶された看介護目標情報から、前記求めた積算結果に対応する前記看介護の種類および前記被監視者にさらに対応する看介護の目標を取り出し、前記取り出した看介護の目標に対する前記求めた積算結果の達成度合いを求め、前記所定の期間における積算開始時点から当該積算時点までの経過時間を求め、前記求めた積算結果の達成度合いおよび経過時間が所定の条件を満たす場合に、警告をするための通信信号（警告通知通信信号）を、前記所定の表示装置に送信する。好ましくは、上述の中央処理装置において、前記警告は、前記積算結果の達成度合いが低いことを表すメッセージ、前記求めた積算結果に対応する前記看介護の種類および前記被監視者、ならびに、前記積算結果の達成度合いを含む。
【０１９９】
このような中央処理装置は、前記求めた積算結果の達成度合いおよび経過時間が所定の条件を満たす場合に、警告を、前記所定の表示装置にさらに表示させる。このため、監視者（ユーザ）は、前記警告を参照することによって、看介護の目標を未達の被監視者に対し、前記未達の看介護をより積極的に実施できる。
【０２００】
他の一態様では、上述の中央処理装置において、前記看介護の種類に対応して作成され、前記看介護の内容を前記看介護記録として入力するための記録書式を記憶する書式情報記憶部をさらに備え、前記看介護記録処理部は、前記警告するための警告画面を前記所定の表示装置に表示させることによって、前記警告を、前記所定の表示装置にさらに表示させ、前記警告画面は、前記所定の表示装置に表示させた警告に対して所定の対応を実施する意思が前記所定の表示装置を取り扱う監視者にある旨の入力を受け付けるための入力ボタンを含み、前記看介護記録処理部は、前記所定の表示装置で前記入力ボタンの入力操作を受け付けた場合に、前記書式情報記憶部から、前記警告に応じた看介護の種類に対応する記録書式を取り出し、前記取り出した記録書式を、前記所定の表示装置に表示させる。
【０２０１】
このような中央処理装置は、前記警告に応じた看介護の種類に対応する記録書式を取り出し、この取り出した記録書式を、前記所定の表示装置に表示させる。このため、監視者（ユーザ）は、前記警告の表示に応じて実施した看介護の記録を、自動的に表示された記録書式で入力でき、前記警告の表示に応じて実施した看介護を記録するために、中央処理装置に記録書式を要求する必要が無く、その手間を省くことができる。
【０２０２】
他の一態様では、上述の中央処理装置において、前記看介護記録処理部は、前記看介護記録の表示を要求された場合に、前記看介護記録情報記憶部に記憶された看介護記録に基づいて、所定の期間について、前記看介護の種類および前記被監視者に対応する看介護の内容の積算を求め、前記求めた積算結果を、前記所定の表示装置として前記要求を行った要求元の表示装置に表示させる。
【０２０３】
このような中央処理装置は、看介護記録の表示を要求された場合に、看介護記録情報記憶部に記憶された看介護記録に基づいて、所定の期間について、看介護の種類および被監視者に対応する看介護の内容の積算を求め、この求めた積算結果を、前記要求を行った要求元の表示装置に表示させる。このため、監視者（ユーザ）は、前記表示装置に表示された、看介護の種類および被監視者に対応する看介護の内容の積算結果を参照することができ、積算結果を参照することによって、要求時点における、被監視者ごとの目標に対する看介護の実施状況を勘案することでき、実施済みの看介護の内容が被監視者に適した度合いであるか否かを判断できる。したがって、上記中央処理装置は、看介護の内容が被監視者に適した度合いであるか否かの判断を支援できる。
【０２０４】
他の一態様では、上述の中央処理装置において、前記看介護の目標を、前記看介護の種類および前記被監視者に対応付けて看介護目標情報として記憶する看介護目標情報記憶部をさらに備え、前記看介護記録処理部は、前記看介護目標情報記憶部に記憶された看介護目標情報から、前記求めた積算結果に対応する前記看介護の種類および前記被監視者にさらに対応する看介護の目標を取り出し、前記求めた積算結果を、前記取り出した看介護の目標と関連するように、前記所定の表示装置として前記要求を行った要求元の表示装置に表示させる。
【０２０５】
このような中央処理装置は、看介護目標情報記憶部に記憶された看介護目標情報から、前記求めた積算結果に対応する前記看介護の種類および前記被監視者にさらに対応する看介護の目標を取り出し、前記求めた積算結果を、この取り出した看介護の目標と関連するように、前記要求を行った要求元の表示装置に表示させる。このため、監視者（ユーザ）は、前記所定の表示装置に前記看介護の目標と関連するように表示された、看介護の種類および被監視者に対応する看介護の内容の積算結果を参照することができ、被監視者ごとの目標を記憶する必要が無く（被監視者ごとの目標の記憶に頼る必要が無く）、要求時点における、被監視者ごとの目標に対する看介護の実施状況をより正確に勘案することでき、実施済みの看介護の内容が被監視者に適した度合いであるか否かをより正確に判断できる。したがって、上記中央処理装置は、看介護の内容が被監視者に適した度合いであるか否かの判断をより好適に支援できる。
【０２０６】
他の一態様では、これら上述の中央処理装置において、前記看介護の目標を、前記看介護の種類および前記被監視者に対応付けて看介護目標情報として記憶する看介護目標情報記憶部をさらに備え、前記看介護記録処理部は、前記端末装置が前記被監視者監視システムにログインした場合に、前記看介護記録情報記憶部に記憶された看介護記録に基づいて、所定の期間について、前記看介護の種類および前記被監視者に対応する看介護の内容の積算を求め、前記看介護目標情報記憶部に記憶された看介護目標情報から、前記求めた積算結果に対応する前記看介護の種類および前記被監視者にさらに対応する看介護の目標を取り出し、前記取り出した看介護の目標に対する前記求めた積算結果の達成度合いを求め、前記所定の期間における積算開始時点から前記ログインの時点までの経過時間を求め、前記求めた積算結果の達成度合いおよび経過時間が所定の条件を満たす場合に、警告を、前記所定の表示装置として前記ログインした前記端末装置に表示させる。
【０２０７】
このような中央処理装置は、端末装置がログインした場合に、前記積算結果の達成度合いおよび前記経過時間それぞれを求め、前記求めた積算結果の達成度合いおよび経過時間が所定の条件を満たす場合に、警告を、前記ログインした前記端末装置に表示させる。このため、端末装置で被監視者監視システムにログインした監視者（ユーザ）は、前記警告を参照することによって、看介護の目標を未達の被監視者に対し、前記未達の看介護をより積極的に実施できる。
【０２０８】
他の一態様では、これら上述の中央処理装置において、前記看介護記録処理部は、前記看介護目標情報記憶部に記憶された看介護目標情報から、前記求めた積算結果に対応する前記看介護の種類および前記被監視者にさらに対応する看介護の目標を取り出し、前記取り出した看介護の目標に対する前記求めた積算結果の達成度合いを求め、前記所定の期間における積算開始時点から当該積算時点までの経過時間を求め、前記求めた積算結果の達成度合いおよび経過時間が所定の条件を満たすか否かに応じた互いに異なる表示態様で、前記求めた積算結果を、前記所定の表示装置に表示させる。好ましくは、上述の中央処理装置において、前記看介護記録処理部は、前記求めた積算結果の達成度合いおよび経過時間が所定の条件を満たすか否かに応じた互いに異なる表示色で、前記求めた積算結果を、前記所定の表示装置に表示させる。好ましくは、上述の中央処理装置において、前記看介護記録処理部は、前記求めた積算結果の達成度合いおよび経過時間が所定の条件を満たすか否かに応じた互いに異なる点灯状態で、前記求めた積算結果を、前記所定の表示装置に表示させる。
【０２０９】
このような中央処理装置は、前記求めた積算結果の達成度合いおよび経過時間が所定の条件を満たすか否かに応じた互いに異なる表示態様で、前記求めた積算結果を、前記所定の表示装置に表示させる。このため、監視者（ユーザ）は、前記求めた積算結果の表示態様を参照することによって、前記積算時点における、被監視者ごとの目標に対する看介護の達成度合いを視認でき、達成度合いの低い場合に、その看介護をより積極的に実施できる。
【０２１０】
他の一態様では、これら上述の中央処理装置において、前記看介護記録処理部は、前記看介護記録情報記憶部に記憶された看介護記録に基づいて、前記求めた積算結果に対応する前記看介護の種類および前記被監視者にさらに対応する看介護の前回の実施時点から、前記求めた積算結果の積算時点までの経過時間を求め、前記求めた経過時間を前記所定の表示装置にさらに表示させる。好ましくは、上述の中央処理装置において、前記看介護記録処理部は、前記取り出した看介護の目標に対する前記求めた積算結果の達成度合いを求め、前記所定の期間における積算開始時点から当該積算時点までの経過時間を求め、前記求めた積算結果の達成度合いおよび経過時間が所定の条件を満たすか否かに応じた互いに異なる表示態様で、前記求めた経過時間を、前記所定の表示装置に表示させる。
【０２１１】
このような中央処理装置は、前記看介護の前回の実施時点から当該積算時点までの経過時間を、前記所定の表示装置にさらに表示させる。このように積算結果に加えてさらに経過時間が表示されるので、監視者（ユーザ）は、積算時点の実績を把握でき、次回に看介護を実施する内容量および時刻を予定でき、次回に看介護を実施するための参考情報となる。
【０２１２】
他の一態様では、これら上述の中央処理装置において、前記積算を求める前記看介護の種類は、前記被監視者の水分摂取に対し行われる第１介護、前記被監視者の摂食に対し行われる第２介護、および、前記被監視者の服薬または投薬に対し行われる第３介護のうちの少なくとも１つを含む。
【０２１３】
このような中央処理装置は、前記積算を求める前記看介護の種類が前記第１介護を含む場合には、前記第１介護を好適に支援でき、前記積算を求める前記看介護の種類が前記第２介護を含む場合には、前記第２介護を好適に支援でき、前記積算を求める前記看介護の種類が前記第３介護を含む場合には、前記第３介護を好適に支援できる。
【０２１４】
他の一態様にかかる中央処理方法は、監視対象である被監視者に対応して設けられ、前記被監視者に関わる所定のイベントを検知するセンサ装置、前記センサ装置と通信可能に接続され、前記センサ装置で検知されて前記センサ装置から受信したイベントを管理する中央処理装置、および、前記中央処理装置と通信可能に接続され前記中央処理装置を介して前記センサ装置で検知されたイベントの通知を受ける端末装置を備え、前記被監視者を監視するための被監視者監視システムの中央処理方法であって、看護および介護のうちの少なくとも一方を含む看介護を実施した看介護の内容を、前記実施した看介護の種類および前記被監視者に対応付けて看介護記録として看介護記録情報記憶部に記憶する記憶工程と、前記看介護記録情報記憶部に記憶された看介護記録に基づいて、所定の期間について、前記看介護の種類および前記被監視者に対応する看介護の内容の積算を求める積算工程と、前記積算工程で求めた積算結果を、所定の表示装置に表示させる表示工程とを備える。
【０２１５】
このような中央処理方法は、看介護記録情報記憶部に記憶された看介護記録に基づいて、所定の期間について、看介護の種類および被監視者に対応する看介護の内容の積算を求め、この求めた積算結果を、所定の表示装置に表示させる。このため、監視者（ユーザ）は、前記所定の表示装置に表示された、看介護の種類および被監視者に対応する看介護の内容の積算結果を参照することができ、前記積算結果を参照することによって、被監視者ごとの目標に対する看介護の実施状況を勘案することでき、実施済みの看介護の内容が被監視者に適した度合いであるか否かを判断できる。したがって、上記中央処理方法は、看介護の内容が被監視者に適した度合いであるか否かの判断を支援できる。
【０２１６】
他の一態様にかかる被監視者監視システムは、監視対象である被監視者に対応して設けられ、前記被監視者に関わる所定のイベントを検知するセンサ装置、前記センサ装置と通信可能に接続され、前記センサ装置で検知されて前記センサ装置から受信したイベントを管理する中央処理装置、および、前記中央処理装置と通信可能に接続され前記中央処理装置を介して前記センサ装置で検知されたイベントの通知を受ける端末装置を備え、前記被監視者を監視するための被監視者監視システムであって、前記中央処理装置は、これら上述のいずれかの中央処理装置である。
【０２１７】
このような被監視者監視システムは、これら上述のいずれかの中央処理装置を用いるので、看介護の内容が被監視者に適した度合いであるか否かの判断を支援できる。
【０２１８】
この出願は、２０１６年６月２９日に出願された日本国特許出願特願２０１６−１２８５８１を基礎とするものであり、その内容は、本願に含まれるものである。
【０２１９】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【産業上の利用可能性】
【０２２０】
本発明によれば、被監視者監視システムの中央処理装置および中央処理方法ならびに被監視者監視システムが提供できる。
【図１】
2018003517.tif 000003
【図２】
2018003517.tif 000004
【図３】
2018003517.tif 000005
【図４】
2018003517.tif 000006
【図５】
2018003517.tif 000007
【図６】
2018003517.tif 000008
【図７】
2018003517.tif 000009
【図８】
2018003517.tif 000010
【図９】
2018003517.tif 000011
【図１０】
2018003517.tif 000012
【図１１】
2018003517.tif 000013
【図１２】
2018003517.tif 000014
【図１３】
2018003517.tif 000015
【図１４】
2018003517.tif 000016
【図１５】
2018003517.tif 000017
【図１６】
2018003517.tif 000018
【図１７】
2018003517.tif 000019
【図１８】
2018003517.tif 000020
【図１９】
2018003517.tif 000021
【図２０】
2018003517.tif 000022
【図２１】
2018003517.tif 000023
【図２２】
2018003517.tif 000024
【図２３】
2018003517.tif 000025
【図２４】
2018003517.tif 000026
【図２５】
2018003517.tif 000027
【国際調査報告】
2018003517.tif 000028
2018003517.tif 000029
2018003517.tif 000030
2018003517.tif 000031